(57)【要約】本開示の実施形態は、伝送ウィンドウをスケジューリングウィンドウ内に構成することを含む、情報伝送のための方法および装置を提供し、スケジューリングウィンドウは、Ｋ個の伝送ウィンドウを含み、伝送ウィンドウは、Ｐ個の利用可能なサブフレームを含み、Ｋは、０を上回る整数であり、Ｐは、１を上回る整数であり、伝送ウィンドウ内の利用可能なサブフレームは、データを伝送するために利用される。データを伝送するために伝送ウィンドウ内で少なくとも２つのサブフレームを使用することによって、本実施形態によって提供される技術的ソリューションは、もはや単一サブフレーム内で制限されない、ＳＩＢ１情報等のシステム情報のチャネルコーディングおよびレートマッチングを可能にする。本技術は、特に、ＮＢ−ＩｏＴのようなシステムにおけるシステム情報伝送に利用可能であり、ＮＢ−ＩｏＴ  ＳＩＢ１情報のようなシステム情報の伝送性能を確実にする。
2019503150.tif 000002
【特許請求の範囲】
【請求項１】
情報伝送方法であって、
伝送ウィンドウをスケジューリングウィンドウ内で構成することであって、スケジューリングウィンドウは、Ｋ個の伝送ウィンドウを含み、伝送ウィンドウは、Ｐ個の利用可能なサブフレームを含み、Ｋは、０を上回る整数であり、Ｐは、１を上回る整数である、ことと、
前記伝送ウィンドウ内で利用可能なサブフレームを利用してデータを伝送することと
を含む、情報伝送方法。
【請求項２】
前記スケジューリングウィンドウは、Ｎ１個の物理ブロードキャストチャネル（ＰＢＣＨ）スケジューリングサイクルまたはＮ２個のＰＢＣＨサブブロックサイクルを含み、
前記伝送ウィンドウは、１／２個のＰＢＣＨサブブロックサイクルもしくはＭ個のＰＢＣＨサブブロックサイクル、または横切って連続するＰ個の利用可能なサブフレームを含み、Ｎ１、Ｎ２、およびＭは全て、０を上回る整数であり、
全てのＰＢＣＨスケジューリングサイクルは、少なくとも１つのＰＢＣＨサブブロックサイクルを含む、請求項１に記載の情報伝送方法。
【請求項３】
前記伝送ウィンドウ内で利用可能なサブフレームを利用してデータを伝送することは、
Ｋ個の伝送ウィンドウ内に、情報伝送のためのＬ個の伝送ウィンドウを得ることと、
前記Ｌ個の伝送ウィンドウのうちの任意の１つ内に、情報を伝送するために使用されるＱ個の利用可能なサブフレームを得ることと、
前記取得されたＱ個の利用可能なサブフレームに関する情報を伝送することと
を含み、
Ｌは、０を上回る整数であり、かつＫ未満またはそれと等しく、Ｑは、１を上回る整数である、請求項１に記載の情報伝送方法。
【請求項４】
前記利用可能なサブフレームのいずれかは、規定されたサブフレームのセット内において一次同期信号／二次同期信号（ＰＳＳ／ＳＳＳ）の伝送のサブフレームおよびＰＢＣＨサブフレーム以外の残りのサブフレームのセットに属する、請求項１に記載の情報伝送方法。
【請求項５】
周波数分割複信（ＦＤＤ）システムのための規定されたサブフレームセットは、０、４、５、および９と付番された全てのサブフレームを含み、
時分割複信（ＴＤＤ）システムのための規定されたサブフレームセットは、０、１、５、および６と付番された全てのサブフレームを含み、または１および６と付番された全てのサブフレームを含む、請求項４に記載の情報伝送方法。
【請求項６】
前記取得されたＱ個の利用可能なサブフレームに関する情報を伝送することは、
前記伝送ウィンドウ内の情報伝送のための利用可能なサブフレームの数であるＱに基づいて、または前記Ｑおよび伝送ウィンドウシーケンス番号に基づいて、前記情報のチャネルコーディングされたデータを得ることを含み、
前記得られたチャネルコーディングされたデータは、次いで、Ｑ個の利用可能なサブフレームにマッピングされ、伝送される、請求項３に記載の情報伝送方法。
【請求項７】
前記Ｑおよび前記伝送ウィンドウシーケンス番号に基づいて、前記情報のチャネルコーディングされたデータを得ることは、
前記伝送ウィンドウ内の情報伝送のためのＱ個の利用可能なサブフレームの数に従って、前記情報のチャネルコーディングされたデータの量を得ることと、
前記伝送ウィンドウシーケンス番号に従って、前記情報のチャネルコーディングされたデータの冗長バージョン（ＲＶ）を得ることと
を含む、請求項６に記載の情報伝送方法。
【請求項８】
前記情報伝送のためのＬ個の伝送ウィンドウを得ることは、
前記情報伝送のための伝送ウィンドウの数であるＬの値を示すように事前定義または信号伝達することと、
前記情報伝送のためのＬ個の伝送ウィンドウの位置を示すように事前定義または信号伝達すること、または、物理セル識別（ＰＣＩＤ）に従って前記Ｌ個の伝送ウィンドウの位置を判定することと
を含む、請求項３に記載の情報伝送方法。
【請求項９】
前記伝送ウィンドウ内の情報伝送のためのＱ個の利用可能なサブフレームを得ることは、
前記伝送ウィンドウ内の情報の伝送のための利用可能なサブフレームの数であるＱの値を事前定義または信号伝達することと、
前記伝送ウィンドウ内の情報の伝送のための前記Ｑ個の利用可能なサブフレームの位置を事前定義または信号伝達すること、または、前記ＰＣＩＤおよび／または伝送ウィンドウシーケンス番号に従って前記伝送ウィンドウ内の情報の伝送のための前記Ｑ個の利用可能なサブフレームの位置を判定することと
を含む、請求項３に記載の情報伝送方法。
【請求項１０】
前記Ｌの値および前記Ｑの値が、信号伝達することによって示されるとき、指示様式は、前記Ｌの値および前記情報の転送ブロックサイズ（ＴＢＳ）のジョイントコーディング、または前記Ｑの値および前記情報のＴＢＳのジョイントコーディング、または前記Ｌの値および前記Ｑの値のジョイントコーディング、または前記Ｌの値、前記Ｑの値、および前記システム情報のＴＢＳのジョイントコーディングを含む、請求項８および９に記載の情報伝送方法。
【請求項１１】
前記Ｋ個の伝送ウィンドウ内の情報を伝送するために使用されるＬ個の伝送ウィンドウは、連続または非連続的Ｌ個の伝送ウィンドウであり、前記伝送ウィンドウ内の情報を伝送するために使用されるＱ個の利用可能なサブフレームは、連続または非連続的Ｑ個の利用可能なサブフレームである、請求項３に記載の情報伝送方法。
【請求項１２】
前記伝送ウィンドウのサイズおよび／または前記スケジューリングウィンドウのサイズを事前定義または信号伝達することをさらに含む、請求項１に記載の情報伝送方法。
【請求項１３】
前記伝送ウィンドウが、横切って連続するＰ個の利用可能なサブフレームであるとき、Ｐは、Ｑと等しい、請求項３に記載の情報伝送方法。
【請求項１４】
前記Ｌ個の伝送ウィンドウのための候補位置の数は、ｆｌｏｏｒ（Ｋ／Ｌ）であり、
ｊ番目の候補位置に対応する前記Ｌ個の伝送ウィンドウは、
Ｌ・（ｊ−１）と付番された前記伝送ウィンドウから開始するＬ個の連続的伝送ウィンドウ、または、（ｊ−１）と付番された前記伝送ウィンドウから開始し、ｆｌｏｏｒ（Ｋ／Ｌ）の隣接する伝送ウィンドウ間隔を伴う、Ｌ個の非連続的伝送ウィンドウのようになり、
ｊは、１を上回るまたはそれと等しく、かつｆｌｏｏｒ（Ｋ／Ｌ）未満またはそれと等しい整数であり、「ｆｌｏｏｒ」は、前記整数演算が下方に丸められることを示す、請求項３に記載の情報伝送方法。
【請求項１５】
前記ＰＣＩＤに従って前記Ｌ個の伝送ウィンドウの位置を判定することは、
事前に確立されたルールに従って、全てのＰＣＩＤをＸ個のタイプに割り当てることであって、Ｘは、０を上回る整数であり、前記スケジューリングウィンドウ内で情報伝送のために使用される前記Ｌ個の伝送ウィンドウの候補位置の数を示す、ことと、
１対１の比を使用して、前記情報伝送のためのＬ個の伝送ウィンドウのＸ個の候補位置に対応するようにＸ個のタイプのＰＣＩＤを設定することと
を含む、請求項８に記載の情報伝送方法。
【請求項１６】
前記事前に確立されたルールは、
以下の式：ｍｏｄ（ＰＣＩＤ，Ｘ）またはｍｏｄ（ｆｌｏｏｒ（ＰＣＩＤ／Ｙ），Ｘ）に関して等価表現値を伴うＰＣＩＤを同一カテゴリに割り当てることを含み、
「ｍｏｄ」は、前記演算が剰余をとることを示し、「ｆｌｏｏｒ」は、前記整数演算が下方に丸められることを示し、Ｙは、０を上回る整数であり、伝送ウィンドウ内の情報伝送のためのＱ個の利用可能なサブフレームの候補位置の数を示す、請求項１５に記載の情報伝送方法。
【請求項１７】
前記伝送ウィンドウ内の情報伝送のためのＱ個の利用可能なサブフレームの候補位置の数は、ｆｌｏｏｒ（Ｐ／Ｑ）であり、
ｊ番目の候補位置に対応する前記Ｑ個の利用可能なサブフレームは、
Ｑ・（ｊ−１）と付番された前記利用可能なサブフレームから開始する連続的Ｑ個の利用可能なサブフレーム、または
（ｊ−１）と付番された前記利用可能なサブフレームから開始し、ｆｌｏｏｒ（Ｐ／Ｑ）の隣接する利用可能なサブフレーム間隔を伴う、非連続的Ｑ個の利用可能なサブフレームのようになり、
ｊは、１を上回るまたはそれと等しく、かつｆｌｏｏｒ（Ｐ／Ｑ）未満またはそれと等しい整数であり、「ｆｌｏｏｒ」は、前記整数演算が下方に丸められることを示す、請求項３に記載の情報伝送方法。
【請求項１８】
前記伝送ウィンドウ内の情報伝送のための前記Ｑ個の利用可能なサブフレームの位置が、ＰＣＩＤおよび／または前記伝送ウィンドウシーケンス番号によって判定されるとき、前記判定は、
第１の事前に設定されたルールに従って、前記ＰＣＩＤの全てをＹ個のタイプに分類することであり、Ｙは、０を上回る整数であり、前記スケジューリングウィンドウ内の前記Ｑ個の利用可能なサブフレームの候補位置の数を示す、ことと、１対１の比を用いて、前記情報伝送のためのＱ個の利用可能なサブフレームのＹ個の候補位置に対応するようにＹ個のタイプのＰＣＩＤを設定することと、または
第２の事前に設定されたルールに従って、前記伝送ウィンドウシーケンス番号の全てをＹ個のタイプに分類することと、１対１の比を用いて、前記情報伝送のための前記Ｑ個の利用可能なサブフレームのＹ個の候補位置に対応するようにＹ個のタイプの伝送ウィンドウシーケンス番号を設定することと、または
前記ＰＣＩＤの全てを前記伝送ウィンドウシーケンス番号と組み合わせ、第３の事前に設定されたルールに従って、Ｙ個のタイプに分類することと、１対１の比を使用して、前記情報伝送のための前記Ｑ個の利用可能なサブフレーム内のＹ個の候補位置に対応するようにＹ個のタイプ伝送ウィンドウシーケンス番号を構成することと
を含む、請求項９に記載の情報伝送方法。
【請求項１９】
前記第１の事前に設定されたルールは、
以下の式：ｍｏｄ（ＰＣＩＤ，Ｙ）またはｍｏｄ（ｆｌｏｏｒ（ＰＣＩＤ／Ｘ），Ｙ）に関して等価表現値を伴うＰＣＩＤを同一カテゴリに割り当てることを含み、
前記第２の事前に設定されたルールは、
以下の式：ｍｏｄ（ＮＴＷ，Ｙ）に関して等価表現値を伴う重複ウィンドウシーケンス番号を同一カテゴリに割り当てることを含み、
前記第３の事前に設定されたルールは、
以下の式：ｍｏｄ（ＰＣＩＤ＋ＮＴＷ，Ｙ）または（ｆｌｏｏｒ（ＰＣＩＤ／Ｘ）＋ＮＴＷ，Ｙ）に関して等価表現値を伴うＰＣＩＤおよび重複ウィンドウシーケンス番号のグループを同一カテゴリに割り当てることを含み、
「ｍｏｄ」は、前記演算が剰余をとることを示し、「ｆｌｏｏｒ」は、前記整数演算が下方に丸められることを示し、ＮＴＷは、前記重複ウィンドウシーケンス番号を示し、Ｘは、０を上回る整数であり、スケジューリングウィンドウ内の情報の伝送のためのＬ個の重複ウィンドウの候補位置の数を示す、請求項１８に記載の情報伝送方法。
【請求項２０】
信号伝達は、以下：無線フレーム番号、スーパーフレーム番号、動作モード、基準信号（ＲＳ）シーケンス構成、ＲＳポート番号構成、異なる物理チャネル間の周波数オフセット、基地局アップリンクアクセス能力、およびダウンリンク制御チャネル構成のうちの少なくとも１つを示すために使用され、
基地局アップリンクアクセス能力は、前記基地局が、単一キャリアおよび／または複数のキャリア使用に基づいて、アップリンクアクセスモードおよび対応するキャリア帯域幅をサポートすることができるかどうかを示すために使用される、請求項８、９、または１２に記載の情報伝送方法。
【請求項２１】
動作モードおよびＲＳシーケンス構成は、ジョイントコーディングされる、請求項２０に記載の情報伝送方法。
【請求項２２】
帯域内動作のために、
信号伝達命令のコンテンツまたは前記情報のコンテンツが、前記ＲＳポート番号構成を含むとき、
前記ＲＳポート番号構成を搬送する物理ダウンリンクチャネルおよび前記ＲＳポート番号構成を搬送する物理ダウンリンクチャネルを受信する前に受信された物理ダウンリンクチャネルは両方とも、４−ポートＲＳに基づいて、リソースマッピングされ、前記ＲＳポート番号構成を搬送する前記物理ダウンリンクチャネルを受信した後、前記物理ダウンリンクチャネルは、前記ＲＳポート番号構成によって示されるＲＳポート番号のＲＳに従って、リソースマッピングを実装し、
前記信号伝達命令のコンテンツまたは前記情報のコンテンツが、前記ＲＳポート番号構成を含まないとき、全ての物理ダウンリンクチャネルは、４−ポートＲＳに基づいて、リソースマッピングを実装する、請求項１または２０に記載の情報伝送方法。
【請求項２３】
信号伝達命令のコンテンツが、ＲＳシーケンス構成を含むとき、前記ＲＳシーケンス構成は、以下：狭帯域モノのインターネット（ＮＢ−ＩｏＴ）のために使用される物理リソースブロック（ＰＲＢ）のインデックス、ＬＴＥシステム帯域幅中心周波数点に関連する前記ＮＢ−ＩｏＴの周波数オフセットのうちの１つを含む、請求項２０に記載の情報伝送方法。
【請求項２４】
前記情報のコンテンツは、初期アクセスに関連する構成パラメータの全てを含む、請求項１に記載の情報伝送方法。
【請求項２５】
非帯域内動作において、情報は、前記サブフレーム内の直交周波数分割多重（ＯＦＤＭ）シンボルリソースの全てを占有し、および／または、前記スケジューリングウィンドウのサイズは、帯域内動作で使用されるスケジューリングウィンドウのサイズを超えず、前記伝送ウィンドウのサイズは、帯域内動作で使用される伝送ウィンドウのサイズを超えない、請求項１に記載の情報伝送方法。
【請求項２６】
情報は、限定ではないが、ＮＢ−ＩｏＴ  ＳＩＢ１メッセージおよびページングメッセージを含む、請求項１に記載の情報伝送方法。
【請求項２７】
信号伝達は、ＰＢＣＨ信号伝達を含む、請求項８、９、または１２に記載の情報伝送方法。
【請求項２８】
非帯域内動作において、一次同期信号／二次同期信号（ＰＳＳ／ＳＳＳ）サブフレームの伝送の最初の３つのＯＦＤＭシンボルは、前記ＰＢＣＨ伝送上で使用される、請求項２７に記載の情報伝送方法。
【請求項２９】
構成モジュールと、処理モジュールとを備えるあるタイプの情報伝送装置であって、
構成モジュールは、伝送ウィンドウをスケジューリングウィンドウ内に設定するように構成され、
スケジューリングウィンドウは、Ｋ個の伝送ウィンドウを含み、伝送ウィンドウは、Ｐ個の利用可能なサブフレームを含み、Ｋは、０を上回る整数であり、Ｐは、１を上回る整数であり、
処理モジュールは、前記伝送ウィンドウ内の利用可能なサブフレームを利用して情報を伝送するように構成されている、情報伝送装置。
【請求項３０】
スケジューリングウィンドウは、Ｎ１個のＰＢＣＨスケジューリングサイクルを含み、またはＮ２個のＰＢＣＨサブブロックサイクルを含み、
伝送ウィンドウは、１／２個のＰＢＣＨサブブロックサイクルもしくはＭ個のＰＢＣＨサブブロックサイクル、または横切って連続するＰ個の利用可能なサブフレームを含み、
Ｎ１、Ｎ２、およびＭは全て、０を上回る整数であり、
全てのＰＢＣＨスケジューリングサイクルは、少なくとも１つのＰＢＣＨサブブロックサイクルを含む、請求項２９に記載のシステム伝送装置。
【請求項３１】
前記処理モジュールは、
情報を伝送するために使用されるＬ個の伝送ウィンドウが、Ｋ個の伝送ウィンドウ内で得られ、Ｑ個の利用可能なサブフレームは、Ｌ個の伝送ウィンドウ内の任意の伝送ウィンドウ内で取得され、情報が、前述の取得されたＱ個の利用可能なサブフレーム上で伝送されるように具体的に構成され、
Ｌは、０を上回る整数であり、かつＫ未満またはそれと等しく、Ｑは、１を上回る整数である、請求項２９に記載のシステム伝送装置。
【請求項３２】
情報が、取得されたＱ個の利用可能なサブフレーム上で伝送されるとき、伝送のための方法は、
前記伝送ウィンドウ内の情報伝送のためのＱ個の利用可能なサブフレームの数に従って、または前記伝送ウィンドウ内の情報伝送のためのＱ個の利用可能なサブフレームの数および伝送ウィンドウシーケンス番号に従って、チャネルコーディングされたデータを得ることを含み、前記取得された情報のチャネルコーディングされたデータは、次いで、前記Ｑ個の利用可能なサブフレーム上にマッピングされ、伝送される、請求項３１に記載のシステム伝送装置。
【発明の詳細な説明】
【技術分野】
【０００１】
本実施形態は、セルラーモノのインターネット（Ｃ−ＩｏＴ）技術に関し、特に、情報の伝送のための方法および装置に関する。
【背景技術】
【０００２】
Ｃ−ＩｏＴの要件を満たすために、狭帯域セルラーモノのインターネット（ＮＢ−ＩｏＴ）のための新しいアクセスシステムが、第３世代パートナーシッププロジェクト（３ＧＰＰ）の第６９回本会議において提示された。本研究分野は、特に、ＮＢ−ＩｏＴの低複雑性低スループット無線周波数（ＲＦ）技術に注意を払っており、その主な研究目的は、改良された屋内カバレッジ、大容量低スループットユーザ機器（ＵＥ）サポート、低待ち時間感度、超低機器コスト、低デバイス電力損失、およびネットワークアーキテクチャを含む。ＮＢ−ＩｏＴシステムのためのアップリンクおよびダウンリンク伝送帯域幅は、ロングタームエボリューション（ＬＴＥ）システムにおける物理リソースブロック（ＰＲＢ）と同一帯域幅である、１８０ｋＨｚであり、これは、既存のＬＴＥシステムに関連する設計の再使用を促進する。加えて、ＮＢ−ＩｏＴシステム技術は、３つの異なる動作モード、すなわち、１）１つまたは複数のＧＳＭ（登録商標）キャリアに取って代わるための拡張データレート（ＧＥＲＡＮ、ＧＳＭ（登録商標）  ＥＤＧＥ無線アクセスネットワーク）を伴う、ＧＳＭ（登録商標）進化型無線アクセスネットワークシステムによって使用される周波数スペクトル等のスタンドアロン動作、２）ＬＴＥキャリア保護帯域内の未使用リソースブロック（ＲＢ）の使用等の保護帯域動作、３）ＬＴＥキャリアの通常範囲内のＲＢの使用等の帯域内動作をサポートする。
【０００３】
ＬＴＥシステム内では、第１のシステム情報ブロードキャスト（ＳＩＢ１）メッセージが、必要なシステム情報を搬送するために使用され、ＳＩＢ１メッセージは、偶数付番無線フレーム毎のサブフレーム５内で伝送され、関連チャネルコーディングまたはレートマッチングプロセスは、単一サブフレーム（すなわち、５番目のサブフレーム毎に各ＳＩＢ１メッセージに配分されるＰＲＢ）に依拠する。既存のＬＴＥシステムでは、ＳＩＢ１メッセージに配分されるＰＲＢは、ＳＩＢ１のトランスポートブロックサイズ（ＴＢＳ）に基づいて動的に調整することができ、したがって、適切なコーディングレートを得ることができ、その結果、単一サブフレームに基づくチャネルコーティングまたはレートマッチングが、可能である。
【０００４】
しかし、ＮＢ−ＩｏＴシステムの帯域内は、わずか１８０ｋＨｚ、すなわち、ＬＴＥシステムにおける１つのＰＲＢのサイズに等しいにすぎないため、ＮＢ−ＩｏＴ  ＳＩＢ１メッセージに配分されることが可能なＰＲＢの最大数は、１である。その結果、ＬＴＥシステム内で既存のＳＩＢ１伝送方法を用いて、ＮＢ−ＩｏＴ  ＳＩＢ１メッセージのＴＢＳに基づいて配分されるＰＲＢの数を動的に調整することは、不可能である。これらの状況下、ＮＢ−ＩｏＴ  ＳＩＢ１メッセージの伝送性能は、依然として、単一サブフレームのチャネルコーディングまたはレートマッチングに基づく場合、ＮＢ−ＩｏＴ  ＳＩＢ１メッセージのＴＢＳがある閾値を超えるとき、間違いなく、著しく限定されるであろう。
【発明の概要】
【発明が解決しようとする課題】
【０００５】
本実施形態の内容は、システム情報の伝送性能を確実にする、ＮＢ−ＩｏＴシステムにおける情報伝送のために好適な情報の伝送のための方法および装置を提供する。
【課題を解決するための手段】
【０００６】
本発明の目的を達成するために、本実施形態は、伝送ウィンドウをスケジューリングウィンドウ内で構成することであって、スケジューリングウィンドウは、Ｋ個の伝送ウィンドウを含み、伝送ウィンドウは、Ｐ個の利用可能なサブフレームを含み、Ｋは、０を上回る整数であり、Ｐは、１を上回る整数である、ことと、伝送ウィンドウ内の利用可能なサブフレームを利用して情報を伝送することとを含む、情報の伝送のための方法を提供する。
【０００７】
代替として、スケジューリングウィンドウは、Ｎ１個の物理ブロードキャストチャネル（ＰＢＣＨ）スケジューリングサイクルまたはＮ２個のＰＢＣＨサブブロックサイクルを含み、伝送ウィンドウは、１／２個のＰＢＣＨサブブロックサイクルもしくはＭ個のＰＢＣＨサブブロックサイクル、または横切って連続するＰ個の利用可能なサブフレームを含み、Ｎ１、Ｎ２、およびＭは全て、０を上回る整数であり、全てのＰＢＣＨスケジューリングウィンドウは、少なくとも１つのＰＢＣＨサブブロックサイクルを含む。
【０００８】
代替として、情報を伝送するための伝送ウィンドウ内の利用可能なサブフレームの利用は、Ｋ個の伝送ウィンドウ内に、情報伝送のために使用されるＬ個の伝送ウィンドウを得ることを含み、Ｌ個の伝送ウィンドウ内の任意の伝送ウィンドウのために、伝送ウィンドウ内のＱ個の利用可能なサブフレームが、得られ、情報は、取得されたＱ個の利用可能なサブフレーム上で伝送され、Ｌは、０を上回る整数であり、かつＫ未満またはそれと等しく、Ｑは、１を上回る整数である。
【０００９】
代替として、利用可能なサブフレームのいずれかは、規定されたサブフレームのセット内において一次同期信号／二次同期信号（ＰＳＳ／ＳＳＳ）の伝送のサブフレームおよびＰＢＣＨサブフレーム以外の残りのサブフレームのセットに属する。
【００１０】
代替として、周波数分割複信（ＦＤＤ）システムのための規定されたサブフレームセットは、０、４、５、および９と付番されたサブフレームを含む、全てのサブフレームのセットであり、時分割複信（ＴＤＤ）システムのための規定されたサブフレームセットは、０、１、５、および６と付番されたサブフレームを含む全てのサブフレームのセットまたは１および６と付番されたサブフレームを含む全てのサブフレームのセットである。
【００１１】
代替として、取得されたＱ個の利用可能なサブフレーム上の情報の伝送は、伝送ウィンドウ内の情報伝送のためのＱ個の利用可能なサブフレームの数または伝送ウィンドウ内の情報伝送のためのＱ個の利用可能なサブフレームの数および伝送ウィンドウシーケンス番号に基づいて、前述の情報のチャネルコーディングされたデータを得ることを含み、得られたチャネルコーディングされたデータは、次いで、Ｑ個の利用可能なサブフレームにマッピングされ、伝送される。
【００１２】
代替として、伝送ウィンドウ内の情報伝送のためのＱ個の利用可能なサブフレームおよび伝送ウィンドウシーケンス番号に基づいて、前述の情報のチャネルコーディングされたデータを得ることは、伝送ウィンドウ内の情報伝送のためのＱ個の利用可能なサブフレームに従って、チャネルコーディングされたデータの量を得ることと、伝送ウィンドウシーケンス番号に基づいて、チャネルコーディングされたデータの冗長バージョン（ＲＶ）を得ることとを含む。
【００１３】
代替として、情報伝送のためのＬ個の伝送ウィンドウの取得は、情報伝送のためのＬ個の伝送ウィンドウの数を示すように事前定義または信号伝達することと、情報伝送のためのＬ個の伝送ウィンドウの位置を示すように事前定義または信号伝達すること、または、物理セル識別（ＰＣＩＤ）に従ってＬ個の伝送ウィンドウの位置を判定することとを含む。
【００１４】
代替として、伝送ウィンドウ内に、情報伝送のためのＱ個の利用可能なサブフレームを得ることは、伝送ウィンドウ内のＱ個の利用可能なサブフレームの数を示すように事前定義または信号伝達することと、伝送ウィンドウ内のＱ個の利用可能なサブフレームの位置を示すように事前定義または信号伝達すること、または、ＰＣＩＤおよび／または伝送ウィンドウシーケンス番号に従って伝送ウィンドウ内のＱ個の利用可能なサブフレームの位置を判定することとを含む。
【００１５】
代替として、Ｌ個の伝送ウィンドウの数および／または伝送ウィンドウ内のＱ個の利用可能なサブフレームの数が、信号伝達することによって命令されるとき、前述の命令方法は、情報伝送のためのＬ個の伝送ウィンドウの数および転送ブロックサイズ（ＴＢＳ）のジョイントコーディング、またはＱ個の利用可能なサブフレームの数およびＴＢＳのジョイントコーディング、または情報伝送のためのＬ個の伝送ウィンドウの数および伝送ウィンドウ内のＱ個の利用可能なサブフレームの数のジョイントコーディング、またはＬ個の伝送ウィンドウの数、伝送ウィンドウ内のＱ個の利用可能なサブフレームの数、およびシステム情報のＴＢＳのジョイントコーディングを含む。
【００１６】
代替として、情報を伝送するためにＫ個の伝送ウィンドウ内で使用されるＬ個の伝送ウィンドウは、連続または非連続的Ｌ個の伝送ウィンドウであり、伝送ウィンドウ内で情報を伝送するために使用されるＱ個の利用可能なサブフレームは、連続または非連続的Ｑ個のサブフレームである。
【００１７】
代替として、前述の方法は、伝送ウィンドウのサイズおよび／またはスケジューリングウィンドウのサイズを示すように事前定義または信号伝達することを含む。
【００１８】
代替として、伝送ウィンドウが横切って連続するＰ個のサブフレームであるとき、Ｐは、Ｑと等しい。
【００１９】
代替として、Ｌ個の伝送ウィンドウのための候補位置は、ｆｌｏｏｒ（Ｋ／Ｌ）から成り、ｊ番目の候補位置に対応するＬ個の伝送ウィンドウは、Ｌ・（ｊ−１）と付番された伝送ウィンドウシーケンスから開始する連続的Ｌ個の伝送ウィンドウ、または、（ｊ−１）と付番された伝送ウィンドウシーケンスから開始し、ｆｌｏｏｒ（Ｋ／Ｌ）の隣接する伝送ウィンドウ間隔を伴う、非連続的Ｌ個の伝送ウィンドウであり、ｊは、１を上回るまたはそれと等しく、かつｆｌｏｏｒ（Ｋ／Ｌ）未満またはそれと等しい整数であり、「ｆｌｏｏｒ」は、整数演算が下方に丸められることを示す。
【００２０】
代替として、ＰＣＩＤに従って、情報伝送のために使用されるＬ個の伝送ウィンドウの位置を判定することは、事前に確立されたルールに従って、全てのＰＣＩＤをタイプ−Ｘに分類することであって、Ｘは、０を上回る整数であり、スケジューリングウィンドウ内で情報伝送のために使用される、Ｌ個の伝送ウィンドウの候補位置の数を示す、ことと、１対１の比を用いて、Ｌ個の伝送ウィンドウのＸ個の候補位置に対応するようにタイプ−Ｘ  ＰＣＩＤを設定することとを含む。
【００２１】
代替として、前述の事前に確立されたルールは、以下の式：ｍｏｄ（ＰＣＩＤ，Ｘ）またはｍｏｄ（ｆｌｏｏｒ（ＰＣＩＤ／Ｙ），Ｘ）に関して等価表現値を伴うＰＣＩＤを同一カテゴリに割り当てることを含み、「ｍｏｄ」は、演算が剰余をとることを示し、「ｆｌｏｏｒ」は、整数演算が下方に丸められることを示し、Ｙは、０を上回る整数であり、伝送ウィンドウ内の情報伝送のためのＱ個の利用可能なサブフレームの候補位置の数を示す。
【００２２】
代替として、伝送ウィンドウ内の情報伝送のためのＱ個の利用可能なサブフレームのための候補位置は、ｆｌｏｏｒ（Ｐ／Ｑ）から成り、ｊ番目の候補位置に対応するＱ個の利用可能なサブフレームは、Ｑ・（ｊ−１）と付番された利用可能なサブフレームから開始する連続的Ｑ個の利用可能なサブフレーム、または、（ｊ−１）と付番された利用可能なサブフレームから開始し、ｆｌｏｏｒ（Ｐ／Ｑ）の隣接する利用可能なサブフレーム間隔を伴う、非連続的Ｑ個の利用可能なサブフレームであり、ｊは、１を上回るまたはそれと等しく、かつｆｌｏｏｒ（Ｐ／Ｑ）未満またはそれと等しい整数であり、「ｆｌｏｏｒ」は、整数演算が下方に丸められることを示す。
【００２３】
代替として、伝送ウィンドウ内の情報伝送のためのＱ個の利用可能なサブフレームの位置が、ＰＣＩＤおよび／または伝送ウィンドウシーケンス番号によって判定されるとき、前述の判定は、第１の事前に設定されたルールに従って、全てのＰＣＩＤをタイプ−Ｙに割り当てることであって、Ｙは、０を上回る整数であり、伝送ウィンドウ内の情報伝送のためのＱ個の利用可能なサブフレームの候補位置の数を示す、ことと、１対１の比を用いて、情報伝送のためのＱ個の利用可能なサブフレームのＹ個の候補位置に対応するようにタイプ−Ｙ  ＰＣＩＤを設定することと、または第２の事前に設定されたルールに従って、全ての伝送ウィンドウシーケンス番号をタイプ−Ｙに割り当てることと、１対１の比を用いて、情報伝送のためのＱ個の利用可能なサブフレームのＹ個の候補位置に対応するようにタイプ−Ｙ伝送ウィンドウシーケンス番号を設定することと、または全てのＰＣＩＤおよび伝送ウィンドウシーケンス番号を組み合わせ、第３の事前に設定されたルールに従って、タイプ−Ｙに割り当てることと、１対１の比を使用して、情報伝送のためのＱ個の利用可能なサブフレームのＹ個の候補位置に対応するようにタイプ−Ｙ伝送ウィンドウシーケンス番号を設定することとを含む。
【００２４】
代替として、第１の事前に設定されたルールは、以下の式：ｍｏｄ（ＰＣＩＤ，Ｙ）またはｍｏｄ（ｆｌｏｏｒ（ＰＣＩＤ／Ｘ），Ｙ）に関して等価表現値を伴うＰＣＩＤを同一カテゴリに割り当てることを含み、第２の事前に設定されたルールは、以下の式：ｍｏｄ（ＮＴＷ，Ｙ）に関して等価表現値を伴う重複ウィンドウシーケンス番号を同一カテゴリに割り当てることを含み、第３の事前に設定されたルールは、以下の式：ｍｏｄ（ＰＣＩＤ＋ＮＴＷ，Ｙ）または（ｆｌｏｏｒ（ＰＣＩＤ／Ｘ）＋ＮＴＷ，Ｙ）に関して等価表現値を伴うＰＣＩＤおよび重複ウィンドウシーケンス番号のグループを同一カテゴリに割り当てることを含み、「ｍｏｄ」は、演算が剰余をとることを示し、「ｆｌｏｏｒ」は、整数演算が下方に丸められることを示し、ＮＴＷは、重複ウィンドウシーケンス番号を表し、Ｘは、０を上回る整数であり、伝送ウィンドウ内で情報を伝送するＬ個の重複ウィンドウの候補位置の数を示す。
【００２５】
代替として、信号伝達は、以下：無線フレーム番号、スーパーフレーム番号、動作モード、基準信号（ＲＳ）シーケンス構成、ＲＳポート番号構成、異なる物理チャネル間の周波数オフセット、基地局アップリンクアクセス能力、およびダウンリンク制御チャネル構成のうちの少なくとも１つを示すために使用され、基地局アップリンクアクセス能力は、基地局が、単一キャリアおよび／または複数のキャリア使用に基づいて、アップリンクアクセスモードおよび対応するキャリア帯域幅をサポートすることができるかどうかを示すために使用される。
【００２６】
代替として、動作モードおよびＲＳシーケンス構成は、ジョイントコーディングされる。
【００２７】
代替として、帯域内動作のために、信号伝達または情報のコンテンツが、ＲＳポート番号構成を含むとき、ＲＳポート番号構成を搬送する物理ダウンリンクチャネルおよびＲＳポート番号構成を搬送する物理ダウンリンクチャネルを受信する前に受信された物理ダウンリンクチャネルは両方とも、４−ポートＲＳに基づいて、リソースマッピングされ、ＲＳポート番号構成を搬送する物理ダウンリンクチャネルを受信した後、物理ダウンリンクチャネルは、ＲＳポート番号構成によって示されるＲＳポート番号のＲＳに従って、リソースマッピングを実装し、信号伝達命令のコンテンツまたは情報のコンテンツが、ＲＳポート番号構成を含まないとき、全ての物理ダウンリンクチャネルは、４−ポートＲＳに基づいて、リソースマッピングを実装する。
【００２８】
代替として、信号伝達命令のコンテンツが、ＲＳシーケンス構成を含むとき、ＲＳシーケンス構成は、以下：ＮＢ−ＩｏＴ狭帯域として使用される物理リソースブロック（ＰＲＢ）のインデックス、ＬＴＥシステム帯域幅中心周波数に関連するＮＢ−ＩｏＴ狭帯域の周波数オフセットのうちの１つを含む。
【００２９】
代替として、情報のコンテンツは、初期アクセスに関連する構成パラメータの全てを含む。
【００３０】
代替として、非帯域内動作では、情報は、サブフレーム内の直交周波数分割多重（ＯＦＤＭ）シンボルリソースの全てを占有し、および／または、スケジューリングウィンドウのサイズは、帯域内動作で使用されるスケジューリングウィンドウのサイズを超えず、伝送ウィンドウのサイズは、帯域内動作で使用される伝送ウィンドウのサイズを超えない。
【００３１】
代替として、情報は、限定ではないが、ＮＢ−ＩｏＴ  ＳＩＢ１メッセージングおよびページングメッセージングを含む。
【００３２】
代替として、信号伝達は、ＰＢＣＨ信号伝達を含む。
【００３３】
代替として、非帯域内動作では、一次同期信号／二次同期信号（ＰＳＳ／ＳＳＳ）サブフレームの伝送の最初の３つのＯＦＤＭシンボルは、ＰＢＣＨ上で伝送される。
【００３４】
本実施形態はまた、構成モジュールと、処理モジュールとを備える、情報の伝送のための装置を提供し、構成モジュールは、伝送ウィンドウをスケジューリングウィンドウ内に設定するように構成され、スケジューリングウィンドウは、Ｋ個の伝送ウィンドウを含み、伝送ウィンドウは、Ｐ個の利用可能なサブフレームを含み、Ｋは、０を上回る整数であり、Ｐは、１を上回る整数であり、処理モジュールは、伝送ウィンドウ内の利用可能なサブフレームを利用して情報を伝送するように構成される。
【００３５】
代替として、スケジューリングウィンドウは、Ｎ１個のＰＢＣＨスケジューリングサイクルを含み、またはＮ２個のＰＢＣＨサブブロックサイクルを含み、伝送ウィンドウは、１／２個のＰＢＣＨサブブロックサイクルもしくはＭ個のＰＢＣＨサブブロックサイクル、または横切って連続するＰ個の利用可能なサブフレームを含み、Ｎ１、Ｎ２、およびＭは全て、０を上回る整数であり、全てのＰＢＣＨスケジューリングサイクルは、少なくとも１つのＰＢＣＨサブブロックサイクルを含む。
【００３６】
代替として、処理モジュールは、情報を伝送するために使用されるＬ個の伝送ウィンドウが、Ｋ個の伝送ウィンドウ内で得られ、Ｑ個の利用可能なサブフレームが、Ｌ個の伝送ウィンドウ内の任意の伝送ウィンドウ内で取得され、情報が、前述の取得されたＱ個の利用可能なサブフレーム上で伝送され、Ｌは、０を上回る整数であり、かつＫ未満またはそれと等しく、Ｑは、１を上回る整数であるように構成される。
【００３７】
代替として、取得されたＱ個の利用可能なサブフレーム上での情報伝送のための方法は、伝送ウィンドウ内の情報伝送のためのＱ個の利用可能なサブフレームの数に基づいて、または伝送ウィンドウ内の情報伝送のためのＱ個の利用可能なサブフレームの数および伝送ウィンドウシーケンス番号に基づいて、前述の情報のチャネルコーディングされたデータを得ることと、前述の情報の取得されたチャネルコーディング情報をＱ個の利用可能なサブフレーム上にマッピングし、伝送することとを含む。
【００３８】
本実施形態はまた、コンピュータ記憶媒体を提供し、前述のコンピュータ記憶媒体は、実行命令を記憶し、前述の実行命令は、上記および本実施形態に列挙された情報伝送方法を実装するために使用される。
【００３９】
既存の技術と比較して、本願で提供される技術的ソリューションは、伝送ウィンドウをスケジューリングウィンドウ内で構成することであって、スケジューリングウィンドウは、Ｋ個の伝送ウィンドウを含み、伝送ウィンドウは、Ｐ個の利用可能なサブフレームを含み、Ｋは、０を上回る整数であり、Ｐは、１を上回る整数である、ことと、伝送ウィンドウ内の利用可能なサブフレームを利用して情報を伝送することとを含む。本実施形態の技術的ソリューションは、少なくとも２つのサブフレームが情報を伝送するために伝送ウィンドウ内で使用される、方法を提供し、本方法は、ＳＩＢ１メッセージ等のシステム情報がもはや単一サブフレームに限定されないチャネルコーディングまたはレートマッチングを可能にし、ＮＢ−ＩｏＴシステム上でのシステム情報の伝送に好適であり、ＮＢ−ＩｏＴ  ＳＩＢ１メッセージング等のシステム情報の伝送性能を確実にする。
【００４０】
本実施形態の特徴および利点は、以下の明細書に記載され、部分的に、説明から明白となり、またはその実装によって理解されるであろう。本実施形態の目的および他の利点は、請求項、明細書、ならびに付随の図に特に指摘される構造を使用して、実装および達成されることができる。
【００４１】
本明細書に説明される図面は、本実施形態の理解を深めることを意図して提供され、本願の一部を構成する。本発明の例証的実施形態およびその説明は、本発明をさらに説明するために提供され、それを限定する役割を果たすものではない。
【図面の簡単な説明】
【００４２】
【図１】図１は、本実施形態の情報伝送方法を説明する、フローチャートである。
【図２】図２は、本実施形態の伝送ウィンドウを定義する、概略図である。
【図３】図３は、断続的占有状態伝送ウィンドウおよびウィンドウ内の利用可能なサブフレームの連続的占有状態の概略図である。
【図４】図４は、断続的占有状態伝送ウィンドウおよびウィンドウ内の利用可能なサブフレームの断続的占有状態の概略図である。
【図５】図５は、連続的占有状態伝送ウィンドウおよびウィンドウ内の利用可能なサブフレームの連続的占有状態の概略図である。
【図６】図６は、連続的占有状態伝送ウィンドウおよびウィンドウ内の利用可能なサブフレームの断続的占有状態の概略図である。
【図７】図７（ａ）は、本実施形態の候補伝送ウィンドウ位置の実施例の概略図である。図７（ｂ）は、本実施形態の候補伝送ウィンドウ位置の異なる実施例の概略図である。
【図８】図８は、本実施形態の異なるタイプのＰＣＩＤと候補伝送ウィンドウ位置との間の対応の概略図である。
【図９】図９（ａ）は、本実施形態の候補サブフレーム位置の実施例の概略図である。図９（ｂ）は、本実施形態の候補サブフレーム位置の異なる実施例の概略図である。
【図１０】図１０は、本実施形態の異なるタイプのＰＣＩＤと候補サブフレーム位置との間の対応の概略図である。
【図１１】図１１は、本実施形態の異なるタイプの伝送ウィンドウ付番と候補サブフレーム位置との間の対応の概略図である。
【図１２】図１２は、本実施形態の異なるタイプのＰＣＩＤ、伝送ウィンドウシーケンス番号グループ化、および候補サブフレーム位置との間の対応の概略図である。
【図１３】図１３は、本実施形態の非帯域内動作を伴う第２のＰＢＣＨリソースの概略図である。
【図１４】図１４は、本実施形態のシステム情報伝送装置の構成構造の概略図である。
【発明を実施するための形態】
【００４３】
本実施形態の技術的ソリューションおよび利点がより明白になるために、本書は、以降、図面を参照し、本実施形態の実施例を詳細に説明するであろう。本開示の実施形態およびその特徴は、非競合様式で組み合わせられることができることに留意されたい。
【００４４】
図１は、以下を含む、本実施形態の情報伝送方法を説明する、フローチャートである。
【００４５】
ステップ１００：伝送ウィンドウをスケジューリングウィンドウ内で構成すること。スケジューリングウィンドウは、Ｋ個の伝送ウィンドウを含み、伝送ウィンドウは、Ｐ個のサブフレームを含み、Ｋは、０を上回る整数であり、Ｐは、１を上回る整数である。
【００４６】
スケジューリングウィンドウはまた、スケジューリングサイクルと呼ばれることができ、伝送ウィンドウはまた、重複サイクルまたは重複伝送間隔と呼ばれることができ、スケジューリングウィンドウ内にある伝送ウィンドウ内の情報の伝送は、前述のスケジューリングウィンドウ内の伝送と見なされることになり、スケジューリングウィンドウに含まれる伝送ウィンドウの数Ｋは、スケジューリングウィンドウによってサポートされる反復伝送の最大数と等しい。
【００４７】
伝送ウィンドウは、Ｐ個の利用可能なサブフレームを含み、これは、伝送ウィンドウがＰ個のサブフレームのみから成ることを示さないことに留意されたい。言い換えると、伝送ウィンドウ内のサブフレームの数は、Ｐを大幅に超え得るが、情報を伝送可能な伝送ウィンドウ内の利用可能なサブフレームのみが、Ｐ個の利用可能なサブフレームである。
【００４８】
利用可能なサブフレームのうちの任意の１つは、規定されたサブフレームのセット内において一次同期信号／二次同期信号（ＰＳＳ／ＳＳＳ）の伝送のサブフレームおよびＰＢＣＨサブフレーム以外の残りのサブフレームのセットに属する。特に、周波数分割複信（ＦＤＤ）システムのための規定されたサブフレームセットは、０、４、５、および９と付番されたサブフレームを含む全てのサブフレームのセットである。時分割複信（ＴＤＤ）システムのための規定されたサブフレームセットは、０、１、５、および６と付番されたサブフレームを含む全てのサブフレームのセットであり、または１および６と付番されたサブフレームを含む全てのサブフレームから成るサブフレームセットである。
【００４９】
前述の方法は、ＰＳＳ／ＳＳＳおよびＰＢＣＨ伝送が情報伝送と競合しないように防止する。
【００５０】
図２は、本実施形態の伝送ウィンドウを定義する、概略図である。図２に示されるように、スケジューリングウィンドウの範囲内には、定義されたＫ個の伝送ウィンドウがあり、Ｋは、０を上回る整数であり、加えて、異なるスケジューリングウィンドウ間に重複は存在しない。
【００５１】
スケジューリングウィンドウは、Ｎ１個の物理ブロードキャストチャネル（ＰＢＣＨ）スケジューリングサイクルを含み、またはＮ２個のＰＢＣＨサブブロックサイクルを含み、伝送ウィンドウは、１／２個のＰＢＣＨサブブロックサイクルもしくはＭ個のＰＢＣＨサブブロックサイクル、または横切って連続するＰ個の利用可能なサブフレームを含む。Ｎ１、Ｎ２、およびＭは全て、０を上回る整数であり、全てのＰＢＣＨスケジューリングウィンドウは、少なくとも１つのＰＢＣＨサブブロックサイクル（例えば、８つのサイクル）を含む。
【００５２】
伝送ウィンドウが、横切って連続するＰ個の利用可能なサブフレームである場合であり、スケジューリングウィンドウ内の利用可能なサブフレームの総数が、Ｐの整数倍数ではない場合、利用可能なサブフレームの残りの数は、Ｐ未満であり、完全な伝送ウィンドウを形成することができず、残りの利用可能なサブフレームは、もはや情報伝送のために使用されない。
【００５３】
ＰＢＣＨスケジューリングサイクルまたはＰＢＣＨサブブロックサイクルを構成する無線フレームの数は、整数であり、ＰＢＣＨスケジューリングサイクルはまた、ＰＢＣＨ伝送時間間隔（ＴＴＩ）と呼ばれることができ、ＰＢＣＨエンコーディングブロックが伝送される、時間間隔を表す。ＰＢＣＨサブブロックサイクルはまた、ＰＢＣＨ（コーディングされた）サブブロック間隔またはＰＢＣＨ（コーディングされた）サブブロック伝送間隔と呼ばれることができ、ＰＢＣＨコーディングされたサブブロックが伝送される、時間間隔を表し、ＰＢＣＨコーディングされたブロックは、少なくとも１つのＰＢＣＨコーディングされたサブブロックを含み、異なるＰＢＣＨコーディングされたサブブロックは、異なるスクランブリングシーケンスを使用する。
【００５４】
ステップ１０１：伝送ウィンドウ内の利用可能なサブフレームを利用して情報を伝送すること。
【００５５】
情報伝送は、それぞれ、基地局および端末デバイスに対応する、情報を送信および受信することを含む。
【００５６】
本ステップは、具体的には、Ｋ個の伝送ウィンドウ内でＳＩＢ１情報等の情報を伝送するために使用される、Ｌ個の伝送ウィンドウ（Ｗ０、Ｗ１、．．．、Ｗｉ、ＷＬ−１と付番されたＬ個の伝送ウィンドウ等）を取得することを含み、Ｌは、スケジューリングウィンドウ内の情報の反復伝送の数と等価である。
【００５７】
Ｑ個の利用可能なサブフレームが、Ｌ個の伝送ウィンドウ内の任意の伝送ウィンドウ内で取得され、情報が、取得されたＱ個の利用可能なサブフレーム上で伝送され、Ｌは、０を上回る整数であり、かつＫ未満またはそれと等しく、Ｑは、１を上回る整数である。
【００５８】
伝送ウィンドウが、横切って連続するＰ個の利用可能なサブフレームである場合、Ｐの値は、Ｑの値に等しくなるように設定されることができる。これらの状況下、伝送ウィンドウ内の情報伝送のためのＱ個の利用可能なサブフレームのために１つのみの候補位置が、存在する。
【００５９】
さらに、Ｑ個の利用可能なサブフレーム上の情報伝送は、伝送ウィンドウ内の情報伝送のためのＱ個の利用可能なサブフレームの数または伝送ウィンドウ内の情報伝送のためのＱ個の利用可能なサブフレームの数および伝送ウィンドウシーケンス番号に基づいて、情報のチャネルコーディングされたデータを得ることを含み、得られたチャネルコーディングされたデータは、次いで、Ｑ個の利用可能なサブフレームにマッピングされ、伝送される。情報のチャネルコーディングされたデータの量は、Ｑ個の利用可能なサブフレームが搬送することができる、チャネルコーディングされたデータの量と等価であり、チャネルコーディングされたデータは、連続して、無線フレーム、サブフレーム、および直交周波数分割多重（ＯＦＤＭ）シンボルの数に従って、Ｑ個の利用可能なサブフレームにマッピングされる。すなわち、チャネルコーディングされたデータは、優先的に、無線フレーム、サブフレーム、および開始のシーケンス番号を伴うＯＦＤＭシンボルにマッピングされる。これらの状況下、Ｑ個の利用可能なサブフレームは、ジョイントコーディングされると言える。
【００６０】
伝送ウィンドウ内の情報伝送のためのＱ個の利用可能なサブフレームの数および伝送ウィンドウシーケンス番号に基づいて、チャネルコーディングされたデータを得ることは、伝送ウィンドウ内の情報伝送のためのＱ個の利用可能なサブフレームに従って、チャネルコーディングされたデータの量を得ることと、伝送ウィンドウシーケンス番号に基づいて、チャネルコーディングされたデータの冗長バージョン（ＲＶ）を得ることとを含む。少なくとも１つのチャネルコーディングされたＲＢが、チャネルエンコーダによってサポートされる場合、現在の伝送ウィンドウ内の情報のチャネルコーディングされたデータとして選択される、具体的ＲＶチャネルコーディングされたデータは、伝送ウィンドウシーケンス番号に依存する。例えば、２つのＲＶが、サポートされる場合、偶数付番伝送ウィンドウは、チャネルコーディングされたデータを第１のＲＢから選択し得、奇数付番伝送ウィンドウは、チャネルコーディングされたデータを第２のＲＶから選択し得、伝送ウィンドウシーケンス番号は、０から（Ｌ−１）に及ぶ、情報伝送（論理番号）のＬ個の伝送ウィンドウの範囲内である。
【００６１】
さらに、情報を伝送するために使用される、Ｌ個の伝送ウィンドウの取得は、以下を含む。
【００６２】
情報伝送のためのＬ個の伝送ウィンドウの数を示すように、事前定義または信号伝達すること。
【００６３】
Ｌ個の伝送ウィンドウの位置を示すように事前定義または信号伝達すること、または物理セル識別（ＰＣＩＤ）に基づいてＬ個の伝送ウィンドウの位置を判定すること。信号伝達命令を使用しない方法の採用は、設計を簡略化し、および／または制御信号伝達費用を回避することができ、信号伝達命令を使用する方法の採用は、システム設計およびスケジューリングの柔軟性を増加させることができる。
【００６４】
ＰＣＩＤに従って、情報伝送のためのＬ個の伝送ウィンドウの位置を判定することは、以下を含む。
【００６５】
事前に確立されたルールに従って、全てのＰＣＩＤをタイプ−Ｘに割り当てることであって、Ｘは、０を上回る整数であり、スケジューリングウィンドウ内で情報伝送のために使用される、Ｌ個の伝送ウィンドウの候補位置の数を示す、ことと、１対１の比を用いて、情報伝送のために使用されるＬ個の伝送ウィンドウのＸ個の候補位置に対応するようにＰＣＩＤタイプ−Ｘを設定することとである。
【００６６】
事前に確立されたルールは、以下の式：ｍｏｄ（ＰＣＩＤ，Ｘ）またはｍｏｄ（ｆｌｏｏｒ（ＰＣＩＤ／Ｙ），Ｘ）に関して等価表現値を伴うＰＣＩＤを同一カテゴリに割り当てることを含む。Ｘ−１の表現値を伴うＰＣＩＤが、タイプ−Ｘ  ＰＣＩＤに割り当てられるように、０の表現値を伴うＰＣＩＤは、タイプ−１  ＰＣＩＤに割り当てられ、１の表現値を伴うＰＣＩＤは、タイプ−２  ＰＣＩＤに割り当てられる等となる。タイプ−Ｙ  ＰＣＩＤに関して、情報がＹ番目の候補位置において伝送されるように、タイプ−１  ＰＣＩＤに関して、情報は、第１の候補位置において伝送され、タイプ−２  ＰＣＩＤに関して、情報は、第２の候補位置において伝送される等となる。「ｍｏｄ」は、演算が剰余をとることを示し、「ｆｌｏｏｒ」は、整数演算が下方に丸められることを示し、Ｙは、０を上回る整数であり、伝送ウィンドウ内の情報伝送のためのＱ個の利用可能なサブフレームの候補位置の数を示す。
【００６７】
または、ＰＣＩＤに基づいて、伝送ウィンドウの位置を判定する代替として、スケジューリングウィンドウ内のＬ個の伝送ウィンドウは、ＰＣＩＤに従って、ランダムに選択されることができ、したがって、隣接する伝送ウィンドウ間隔は、ランダムである。具体的には、異なるＬ値は、０からＫ−１に及ぶ値を伴って、ＰＣＩＤに従ってランダムに生成されることができ、Ｋは、スケジューリングウィンドウを構成する伝送ウィンドウの数を表し、対応するＬ個の伝送ウィンドウシーケンス番号（伝送ウィンドウ位置と等価である）は、順に選択されることができ、それによって、上記のように付番されたＬ個の伝送ウィンドウは、情報伝送のためのＬ個の伝送ウィンドウとして使用される。ＰＣＩＤに基づいて、スケジューリングウィンドウ内のＬ個の伝送ウィンドウをランダムに選択するための前述の方法を使用して、異なるセルがスケジューリングウィンドウ内で情報を伝送する、Ｌ個の伝送ウィンドウの位置は、ランダムである。これは、セル間の干渉のランダム化を促進し、それによって、干渉を低減させる。
【００６８】
ＰＣＩＤに基づいて、異なるＬ値をランダムに生成することでは、第１に、十分に長い擬似ランダムシーケンスが、セルＰＣＩＤに基づいて生成され、例えば、ＰＣＩＤは、擬似ランダムシーケンス発生器のための初期化値として使用され、擬似ランダムシーケンス発生器は、ＬＴＥシステムにおいて使用される既存の擬似ランダムシーケンス発生器の方法を採用することができ、第２に、異なるＬ値は、擬似ランダムシーケンスに基づいて生成され、例えば、擬似ランダムシーケンスの第１のビットから開始し、連続して、長さＤを伴うＫ個のビットシーケンス（１を上回る整数；０からＫ−１までの付番）を捕捉し、次いで、Ｋ個のビットシーケンスを最小から最大値（または最大から最小値）に並べ替え、それに応じて、並べ替え後、開始に位置するＬ個のビットシーケンス番号は、ＰＣＩＤに基づいて、Ｌ個の値をランダムに生成するために使用される。特殊な場合のための処理機構として、同等ビットシーケンスが、Ｋ個のビットシーケンス内に存在する場合、先行シーケンスの値は、等しい値のビットシーケンスのための後続シーケンス値を上回る（またはそれ未満）であるように事前定義されることができることに留意されたい。
【００６９】
さらに、伝送ウィンドウ内における情報伝送のために使用されるＱ個の利用可能なサブフレームの取得は、以下を含む。
【００７０】
伝送ウィンドウ内のＱ個の利用可能なサブフレームの数を示すように事前定義または信号伝達することと、伝送ウィンドウ内のＱ個の利用可能なサブフレームの位置を示すように事前定義または信号伝達すること、または、ＰＣＩＤおよび／または伝送ウィンドウシーケンス番号に従って伝送ウィンドウ内のＱ個の利用可能なサブフレームの位置を判定することとである。
【００７１】
非信号伝達命令を利用することは、設計を簡略化し、および／または制御信号伝達費用を回避する。
【００７２】
Ｑ個の利用可能なサブフレームの位置を判定すること。
【００７３】
ＰＣＩＤおよび／または伝送ウィンドウシーケンス番号に従うことは、以下を含む。
【００７４】
第１の事前に設定されたルールに従って、全てのＰＣＩＤをタイプ−Ｙに割り当てることであって、Ｙは、０を上回る整数であり、伝送ウィンドウ内の情報伝送のＱ個の利用可能なサブフレームの候補位置の数を示す、ことと、１対１の比を用いて、情報伝送のためのＱ個の利用可能なサブフレームのＹ個の候補位置に対応するようにタイプ−Ｙ  ＰＣＩＤを設定することとである。
【００７５】
第１の事前に設定されたルールは、以下の式：ｍｏｄ（ＰＣＩＤ，Ｙ）またはｍｏｄ（ｆｌｏｏｒ（ＰＣＩＤ／Ｘ），Ｙ）に関して等価表現値を伴うＰＣＩＤを同一カテゴリに割り当てることを含む。（Ｙ−１）の表現値を伴うＰＣＩＤが、タイプ−Ｙ  ＰＣＩＤに割り当てられるように、０の表現値を伴うＰＣＩＤは、タイプ−１  ＰＣＩＤに割り当てられ、１の表現値を伴うＰＣＩＤは、タイプ−２  ＰＣＩＤに割り当てられる等となる。タイプ−Ｙ  ＰＣＩＤに関して、情報がＹ番目の候補位置において伝送されるように、タイプ−１  ＰＣＩＤに関して、情報は、第１の候補位置において伝送され、タイプ−２  ＰＣＩＤに関して、情報は、第２の候補位置において伝送される等となる。「ｍｏｄ」は、演算が剰余をとることを示し、「ｆｌｏｏｒ」は、整数演算が下方に丸められることを示し、Ｘは、０を上回る整数であり、スケジューリングウィンドウ内の情報伝送のためのＬ個の重複ウィンドウの候補位置の数を示す。
【００７６】
または、第２の事前に設定されたルールに従って、全てのＮＴＷ伝送ウィンドウシーケンス番号をタイプ−Ｙに割り当てることと、１対１の比を用いて、情報伝送のＱ個の利用可能なサブフレームのＹ個の候補位置に対応するようにタイプ−Ｙ伝送ウィンドウシーケンス番号を設定することであって、第２の事前に設定されたルールは、以下の式：ｍｏｄ（ＮＴＷ，Ｙ）に関して等価表現値を伴う重複ウィンドウシーケンス番号を同一カテゴリに割り当てることを含む、こととである。Ｙ−１の表現値を伴うＮＴＷが、タイプ−Ｙ付番に割り当てられるように、０の表現値を伴うＮＴＷは、タイプ−１付番に割り当てられ、１の表現値を伴うＮＴＷは、タイプ−２付番に割り当てられる等となる。タイプ−Ｙ付番に関して、情報が、Ｙ番目の候補位置において伝送されるように、タイプ−１付番に関して、情報は、第１の候補位置において伝送され、タイプ−２付番に関して、情報は、第２の候補位置において伝送される等となる。「ｍｏｄ」は、演算が剰余をとることを示す。
【００７７】
または、全てのＰＣＩＤおよびＮＴＷ伝送ウィンドウシーケンス番号を組み合わせ、第３の事前に設定されたルールに従って、タイプ−Ｙに割り当てることと、１対１の比を用いて、情報伝送のためのＱ個の利用可能なサブフレームのＹ個の候補位置に対応するようにタイプ−Ｙ伝送ウィンドウシーケンス番号を設定することであって、第３の事前に設定されたルールは、以下の式：ｍｏｄ（ＰＣＩＤ＋ＮＴＷ，Ｙ）または（ｆｌｏｏｒ（ＰＣＩＤ／Ｘ）＋ＮＴＷ，Ｙ）に関して等価表現値を伴うＰＣＩＤおよび重複ウィンドウシーケンス番号のグループを同一カテゴリに割り当てることを含む、こととである。Ｙ−１の表現値を伴うグループ化が、タイプ−Ｙグループ化に割り当てられるように、０の表現値を伴うグループ化は、タイプ−１グループ化に割り当てられ、１の表現値を伴うグループ化は、タイプ−２グループ化に割り当てられる等となる。タイプ−Ｙグループ化に関して、情報が、Ｙ番目の候補位置において伝送されるように、タイプ−１グループ化に関して、情報は、第１の候補位置において伝送され、タイプ−２グループ化に関して、情報は、第２の候補位置において伝送される等となる。「ｍｏｄ」は、演算が剰余をとることを示し、「ｆｌｏｏｒ」は、整数演算が下方に丸められることを示し、Ｘは、０を上回る整数であり、スケジューリングウィンドウ内で情報伝送のためのＬ個の重複ウィンドウの候補位置の数を示す。
【００７８】
または、ＰＣＩＤおよび／または伝送ウィンドウシーケンス番号に基づいて、伝送ウィンドウの位置を判定する代替として、伝送ウィンドウ内のＱ個の利用可能なサブフレームは、ＰＣＩＤおよび／または伝送ウィンドウシーケンス番号に基づいて、ランダムに選択されることができ、したがって、隣接する利用可能なサブフレーム間隔は、ランダムである。具体的には、異なるＱ値は、０から（Ｐ−１）に及ぶ可能性として考えられる値を伴って、ＰＣＩＤおよび／または伝送ウィンドウシーケンス番号に基づいて、ランダムに生成されることができ、Ｐは、Ｑ個の利用可能なサブフレーム番号（利用可能なサブフレーム位置と等価である）に対応する伝送ウィンドウを構成するサブフレームの数を表し、上記のように付番されたＱ個の利用可能なサブフレームは、現在の伝送ウィンドウ内の情報伝送のためのＱ個の利用可能なサブフレームとして使用される。
【００７９】
ＰＣＩＤおよび伝送ウィンドウシーケンス番号に基づいて、伝送ウィンドウ内のＱ個のサブフレームをランダムに生成することによって、異なるセルおよび／または異なる伝送ウィンドウが情報を伝送する、Ｑ個の利用可能なサブフレームの位置は、ランダムである。これは、セル間の干渉のランダム化を促進し、それによって、干渉を低減させる。
【００８０】
ＰＣＩＤおよび／または伝送番号に基づいて、異なるＱ値をランダムに生成することでは、第１に、十分に長い擬似ランダムシーケンスが、例えば、ＰＣＩＤ、伝送ウィンドウシーケンス番号、またはＰＣＩＤおよび伝送ウィンドウシーケンス番号（総和演算を用いて取得された値等）によって擬似ランダムシーケンス発生器のための初期化値として判定された新しい値を使用して、セルＰＣＩＤおよび／または伝送ウィンドウシーケンス番号に基づいて生成され、擬似ランダムシーケンス発生器は、ＬＴＥシステムにおいて使用される既存の擬似ランダムシーケンス発生器の方法を採用することができ、第２に、異なるＱ値が、擬似ランダムシーケンスに基づいて生成され、例えば、擬似ランダムシーケンスの第１のビットから開始、連続して、長さＤを伴うＰビットシーケンス（１を上回る整数；０からＰ−１までの付番）を捕捉し、次いで、Ｐビットシーケンスを最小から最大値（または最大から最小値）に並べ替え、それに応じて、並べ替え後、開始に位置するＱビットシーケンス番号は、ＰＣＩＤおよび／または伝送ウィンドウシーケンス番号に基づいて、Ｑ値をランダムに生成するために使用される。特殊な場合のための処理機構として、同等ビットシーケンスが、Ｐビットシーケンス内に存在する場合、先行シーケンスの値は、等しい値のビットシーケンスのための後続シーケンス値を上回る（またはそれ未満）であるように事前定義されることができることに留意されたい。
【００８１】
情報伝送のためのＬ個の伝送ウィンドウの数が、信号伝達することによって命令されるとき、および／または伝送ウィンドウ内の情報伝送のためのＱ個の利用可能なサブフレームの数が、信号伝達することによって命令されるとき、信号伝達するための方法は、情報伝送のＬ個の伝送ウィンドウの数および転送ブロックサイズ（ＴＢＳ）のジョイントコーディング、または情報の伝送のための伝送ウィンドウ内のＱ個の利用可能なサブフレームの数およびＴＢＳのジョイントコーディング、または情報伝送のＬ個の伝送ウィンドウの数および伝送ウィンドウ内の情報の伝送のためのＱ個の利用可能なサブフレームの数のジョイントコーディング、または情報伝送のための伝送ウィンドウの数、伝送ウィンドウ内の情報伝送のためのＱ個の利用可能なサブフレームの数、および情報のＴＢＳのジョイントコーディングを含む。ジョイントコーディングは、１つのフィールドを使用して、少なくとも２つのアイテムを一度に示すことを指し、例えば、情報伝送のための伝送ウィンドウの数、伝送ウィンドウ内の情報伝送のためのＱ個の利用可能なサブフレームの数、および情報のＴＢＳが、ジョイントコーディングされる場合、１つのフィールドが、伝送ウィンドウの数、Ｑ個の利用可能なサブフレームの数、およびＴＢＳ値を同時に示す場合となる。
【００８２】
本ステップでは、情報を伝送するためにＫ個の伝送ウィンドウ内で使用されるＬ個の伝送ウィンドウは、連続または非連続的であり、情報を伝送するために伝送ウィンドウ内で使用されるＱ個の利用可能なサブフレームは、連続または非連続的である。具体的伝送スキームは、以下の４つのタイプを含む。
【００８３】
Ｌ個の伝送ウィンドウによって断続的に占有されるＫ個の伝送ウィンドウと、Ｑ個の利用可能なサブフレームによって連続的に占有される伝送ウィンドウ。図３が示すように、陰影ボックスは、同一伝送ウィンドウを連続的に占有する利用可能なサブフレームを表し、情報伝送のための伝送ウィンドウは、断続である。
【００８４】
Ｌ個の伝送ウィンドウによって断続的に占有されるＫ個の伝送ウィンドウと、Ｑ個の利用可能なサブフレームによって断続的に占有される伝送ウィンドウ。図４が示すように、陰影ボックスは、同一伝送ウィンドウを断続的に占有する利用可能なサブフレームを表し、情報伝送のための伝送ウィンドウは、断続する。
【００８５】
Ｌ個の伝送ウィンドウによって連続的に占有されるＫ個の伝送ウィンドウと、Ｑ個の利用可能なサブフレームによって連続的に占有される伝送ウィンドウ。図５が示すように、陰影ボックスは、同一伝送ウィンドウを連続的に占有する利用可能なサブフレームを表し、情報伝送のための伝送ウィンドウは、連続する。
【００８６】
Ｌ個の伝送ウィンドウによって連続的に占有されるＫ個の伝送ウィンドウと、Ｑ個の利用可能なサブフレームによって断続的に占有される伝送ウィンドウ。図６が示すように、陰影ボックスは、同一伝送ウィンドウを断続的に占有する利用可能なサブフレームを表し、情報伝送のための伝送ウィンドウは、連続する。
【００８７】
さらに、情報伝送のためのＬ個の伝送ウィンドウの候補位置は、ｆｌｏｏｒ（Ｋ／Ｌ）から成り、ｊ番目の候補位置に対応するＬ個の伝送ウィンドウは、Ｌ・（ｊ−１）と付番された伝送ウィンドウから開始する連続的Ｌ個の伝送ウィンドウ、または、（ｊ−１）と付番された伝送ウィンドウから開始し、ｆｌｏｏｒ（Ｋ／Ｌ）の隣接する伝送ウィンドウ間隔を伴う、非連続的Ｌ個の伝送ウィンドウである。
【００８８】
さらに、伝送ウィンドウ内の情報伝送のためのＱ個の利用可能なサブフレームのための候補位置は、ｆｌｏｏｒ（Ｐ／Ｑ）から成り、ｊ番目の候補位置に対応するＱ個の利用可能なサブフレームは、Ｑ・（ｊ−１）と付番された利用可能なサブフレームから開始する連続的Ｑ個の利用可能なサブフレーム、または、（ｊ−１）と付番された利用可能なサブフレームから開始し、ｆｌｏｏｒ（Ｐ／Ｑ）の隣接する利用可能なサブフレーム間隔を伴う、非連続的Ｑ個の利用可能なサブフレームであり、ｊは、１を上回るまたはそれと等しく、かつｆｌｏｏｒ（Ｐ／Ｑ）未満またはそれと等しい整数であり、「ｆｌｏｏｒ」は、整数演算が下方に丸められることを示す。
【００８９】
データを伝送するために伝送ウィンドウ内で少なくとも２つのサブフレームを使用することによって、本実施形態によって提供される技術的ソリューションは、もはや単一サブフレーム内に制限されないＳＩＢ１情報等のシステム情報のチャネルコーディングおよびレートマッチングを可能にする。本技術は、ＮＢ−ＩｏＴのようなシステムにおけるシステム情報伝送に特に適用可能であり、ＮＢ−ＩｏＴ  ＳＩＢ１情報のようなシステム情報の伝送性能を確実にする。
【００９０】
さらに、本実施形態の方法はまた、以下を含む。
【００９１】
伝送ウィンドウサイズおよび／またはスケジューリングウィンドウサイズを示すように事前定義または信号伝達すること。
【００９２】
信号伝達命令を使用しない方法の採用は、設計を簡略化し、および／または制御信号伝達費用を回避することができる。信号伝達命令を使用する方法の採用は、システム設計およびスケジューリングの柔軟性を増加させることができる。
【００９３】
信号伝達は、以下のうちの少なくとも１つを示すために使用される。
【００９４】
無線フレーム番号、スーパーフレーム番号、動作モード、基準信号（ＲＳ）シーケンス構成、ＲＳポート番号構成、異なる物理チャネル間の周波数オフセット、基地局アップリンクアクセス能力、およびダウンリンク制御チャネル構成。スーパーフレームは、少なくとも２つの無線フレームを含む。異なる物理チャネル間の周波数オフセットは、帯域内動作と併用するために好適であり、ＮＢ−ＩｏＴ物理ブロードキャストチャネル（ＰＢＣＨ）中心周波数点とＮＢ−ＩｏＴ物理ダウンリンク制御チャネル（ＰＤＤＣＨ）／物理ダウンリンク共有チャネル（ＰＤＳＣＨ）中心周波数点との間の（例えば、１つ以上のキャリアの）相対的周波数オフセットを含む。ＲＳシーケンス構成は、帯域内動作と併用するために好適であるが、統合設計観点から検討され、非帯域内動作（例えば、保護帯域またはスタンドアロン動作）は、帯域内動作下、ＲＳシーケンス構成パラメータを再使用することができる。具体的ＲＳシーケンス構成は、以下：ＮＢ−ＩｏＴ狭帯域の物理リソースブロック（ＰＲＢ）のインデックス、ＬＴＥシステム帯域幅中心周波数に関連するＮＢ−ＩｏＴ狭帯域の周波数オフセットのうちの１つを含み、ＰＲＢインデックスは、最大ＬＴＥシステム帯域幅構成下のＰＲＢのインデックス（例えば、１１０個のＰＲＢ）を示し、ＬＴＥシステム帯域幅中心周波数点に関連する狭帯域の周波数オフセットは、ＬＴＥシステム帯域幅中心周波数点に関連するＮＢ−ＩｏＴ狭帯域の中心またはエッジ周波数のための周波数オフセット（例えば、１つまたは複数のＰＲＢ）を示す。
【００９５】
基地局アップリンクアクセス能力は、限定ではないが、基地局が、単一キャリア（シングルトーン）および／または複数のキャリア（マルチトーン）使用ならびに対応するキャリア帯域幅（例えば、３．７５ｋＨｚまたは１５ｋＨｚ）およびダウンリンク制御チャネル構成に基づいて、アップリンクアクセス方法をサポートすることができるかどうかを示すことを含み、ダウンリンク制御情報は、ダウンリンク制御チャネルの時間周波数リソース位置を示すことに限定されない。
【００９６】
動作モードおよびＲＳシーケンス構成は、使用ジョイントコーディングを使用することができる。例えば、アイテムを示すために使用されるフィールドが、２ビットから成り、帯域内動作のみが、ＲＳシーケンス構成を要求する場合、００は、非帯域内動作を示し、０１は、帯域内動作および帯域内動作を使用する第１のＲＳシーケンス構成を示し、１０は、帯域内動作および帯域内動作を使用する第２のＲＳシーケンス構成を示し、１１は、帯域内動作および帯域内動作を使用する第３のＲＳシーケンス構成を示すことが可能である。
【００９７】
帯域内動作のために、信号伝達または情報のコンテンツが、ＲＳポート番号構成を含むとき、ＲＳポート番号構成を搬送する物理ダウンリンクチャネルおよびＲＳポート番号構成を搬送する物理ダウンリンクチャネルを受信する前に受信された物理ダウンリンクチャネルは両方とも、（ＬＴＥシステムセル特有のＲＳによってサポートされるポートの最大数）４−ポートＲＳに基づいてリソースマッピングされ、ＲＳポート番号構成を搬送する物理ダウンリンクチャネルを受信する前に、他の物理ダウンリンクチャネルを受信する必要はない。ＲＳポートの数を搬送する物理ダウンリンクチャネルのみが、４−ポートＲＳに基づいて使用され、リソースマッピングのために、ＲＳポート番号構成を搬送する物理ダウンリンクチャネルを受信した後、物理ダウンリンクチャネルは、ＲＳポート番号構成によって示されるＲＳポート番号（例えば、２または４）のＲＳに従って、リソースマッピングを実装する。信号伝達命令のコンテンツまたは情報が、ＲＳポート番号構成を含まないとき、全ての物理ダウンリンクチャネルは、４−ポートＲＳに基づいて、リソースマッピングを実装する。
【００９８】
物理ダウンリンクチャネルが、一次同期信号（ＰＳＳ）または二次同期信号（ＳＳＳ）を含まないとき、２または４ポートＲＳに基づいてリソースマッピングを実装することは、リソースマッピングのプロセスの間、物理ダウンリンクチャネルデータが、２または４ポートＲＳを伝送するであろう、リソースユニット上にマッピングしないことを意味する。言い換えると、２または４ポートＲＳを伝送するであろう、リソースユニットは、物理ダウンリンクチャネルデータを搬送しないであろう。本方法は、端末デバイス内のＲＳを盲目的に検出するポートの数を回避し、したがって、端末デバイス内の実装複雑性を低減させる。
【００９９】
非帯域内動作では、情報伝送は、サブフレーム内の直交周波数分割多重（ＯＦＤＭ）シンボルリソースの全てを占有する。
【０１００】
帯域内動作では、サブフレーム内の最初の３つのＯＦＤＭシンボルは、ＬＴＥシステムの物理ダウンリンク制御チャネル（ＰＤＣＣＨ）上で使用され、したがって、他のＮＢ−ＩｏＴデータ（情報を含む）伝送目的のために使用されることができない。しかし、非帯域内動作では、サブフレーム内の最初の３つのＯＦＤＭシンボルは、他のＮＢ−ＩｏＴデータを伝送するために使用されることができる。加えて、端末デバイスが、データを受信すると、ＮＢ−ＩｏＴのオペレーティングシステムは、すでに既知であり、サブフレーム内のＯＦＤＭシンボルは全て、データを伝送するために使用されることができる。
【０１０１】
非帯域内動作では、ＰＳＳ／ＳＳＳの最初の３つのＯＦＤＭシンボルは、ＰＢＣＨ伝送のために使用される。本実施形態は、非帯域内動作では、第１のＰＢＣＨサブフレームのＯＦＤＭシンボルを、第１のＰＢＣＨサブフレームの最初の３つのＯＦＤＭシンボルを除き、第１のＰＢＣＨリソースとして使用し、第２のＰＢＣＨサブフレームの最初の３つのＯＦＤＭシンボルを第２のＰＢＣＨリソースのために使用し、これは、非帯域内動作におけるＰＢＣＨ伝送性能を改良し、第１のＰＢＣＨサブフレームは、ＰＢＣＨが帯域内動作において伝送されるサブフレームであり、第２のＰＢＣＨサブフレームは、第１のＰＢＣＨサブフレームおよびＰＳＳ／ＳＳＳが伝送されるサブフレームを含む。
【０１０２】
本実施形態の実施例では、伝送される情報は、限定ではないが、ＮＢ−ＩｏＴ  ＳＩＢ１メッセージングおよびページングメッセージングを含み、信号伝達は、限定ではないが、ＰＢＣＨ信号伝達を含む。
【０１０３】
本実施形態の方法の情報が、ＮＢ−ＩｏＴ  ＳＩＢ１メッセージングであるとき、ＳＩＢ１メッセージングのコンテンツは、初期アクセスに関連する全ての構成パラメータを含むことができ、本時点において、端末デバイスは、初期アクセスの間、ＳＩＢ１メッセージング以外、任意のシステム情報を受信する必要はなく、これは、アクセスフローを簡略化する一方、端末デバイス内の付加的電力損失を回避し、ひいては、電力節約を促進する。
【０１０４】
さらに、
【０１０５】
帯域内動作および非帯域内動作等の異なる動作のために、ＳＩＢ１情報の伝送は、同一サイズのスケジューリングウィンドウおよび伝送ウィンドウを使用することができる。例えば、帯域内動作および非帯域内動作では、スケジューリングウィンドウを４つのＰＢＣＨスケジューリングサイクルを含むように、伝送ウィンドウを２つのＰＢＣＨサブブロックサイクルを含むように構成し、または非帯域内動作ではＳＩＢ１メッセージ伝送等の情報のために使用されるより多くのサブフレームが存在し得るため（例えば、ＦＤＤシステムは、もはや０、４、５、および９と付番されたサブフレームに限定され得ない）、構成されるスケジューリングウィンドウのサイズは、帯域内動作のスケジューリングウィンドウのサイズを超え得ず、構成される伝送ウィンドウのサイズは、帯域内動作の伝送ウィンドウのサイズを超え得ない。例えば、帯域内動作では、スケジューリングウィンドウを４つのＰＢＣＨスケジューリングサイクルを含むように、伝送ウィンドウを２つのＰＢＣＨサブブロックサイクルを含むように構成し、非帯域内動作のために、スケジューリングウィンドウを２つのＰＢＣＨスケジューリングサイクルを含むように、伝送ウィンドウを１つのＰＢＣＨサブブロックサイクルを含むように構成する。
【０１０６】
本発明の方法が、ここで、具体的実施形態を参照して詳細に説明されるであろう。
【０１０７】
第１の実施形態は、スケジューリングウィンドウサイズ、伝送ウィンドウサイズ、および伝送ウィンドウ内の情報伝送のためのＱ個の利用可能なサブフレームのための好ましい値を与える。第１の実施形態に関して、ＰＢＣＨサブブロックサイクルは、８つの無線フレームであり、ＰＢＣＨスケジューリングサイクルは、６４の無線フレーム（すなわち、１つのＰＢＣＨスケジューリングサイクルは、８つのＰＢＣＨサブフレームサイクルを含む）と仮定すると、伝送ウィンドウサイズのための好ましい値は、８、１６、または３２の無線フレーム（すなわち、ＰＢＣＨサブブロックサイクルの１、２、および４の倍数）を含み、加えて、スケジューリングウィンドウサイズのための理想的値は、６４、１２８、２５６、または５１２無線フレーム（すなわち、ＰＢＣＨスケジューリングサイクルの１、２、４、および８の倍数）を含む。表１は、伝送ウィンドウサイズおよびスケジューリングウィンドウサイズのための好ましい値の組み合わせ、および１つの対応するスケジューリングウィンドウを構成するＫ個の伝送ウィンドウの数を示す。
【表１−１】
2019503150.tif 000003
【表１−２】
2019503150.tif 000004
【０１０８】
伝送ウィンドウ内の情報伝送のためのＱ個の利用可能なサブフレームの数は、典型的には、ＴＢＳにのみ関連し、スケジューリングウィンドウまたは伝送ウィンドウのいずれかのサイズに依拠しない。伝送ウィンドウおよびスケジューリングウィンドウのための異なるサイズ構成では、理想的数のＱ個の利用可能なサブフレームは、４、６、または８つのサブフレームを含む。
【０１０９】
第２の実施形態は、スケジューリングウィンドウサイズおよび伝送ウィンドウサイズを判定するための方法を与える。
【０１１０】
設計を簡略化するために、スケジューリングウィンドウのサイズおよび伝送ウィンドウは、設定値であるように構成されることができ、またはスケジューリングウィンドウのサイズは、設定値であるように構成されることができ、伝送ウィンドウのサイズは、構成可能であるように設定されることができ、またはスケジューリングウィンドウのサイズは、構成可能であるように設定されることができ、伝送ウィンドウのサイズは、構成可能であるように設定されることができる。表２は、サイズが構成可能であるように設計されるときのスケジューリングウィンドウのサイズおよび伝送ウィンドウのサイズをともに示す、フィールド（２ビット）の実施例を示す。
【表２】
2019503150.tif 000005
【０１１１】
第３の実施形態は、Ｌ個の伝送ウィンドウの数およびＱ個の利用可能なサブフレームの数が、信号伝達することによって示されるときの、スケジューリングウィンドウ内の情報伝送のためのＬ個の伝送ウィンドウの数、情報ＴＢＳ、および１つの伝送ウィンドウ内の情報伝送のためのＱ個の利用可能なサブフレームの数をエンコーディングする実施例を与える。スケジューリングウィンドウのサイズおよび伝送ウィンドウが、表１の構成６に示される通りであり、情報ＴＢＳのための値が、表３に示されるように、６であると仮定して、ＴＢＳインジケーション、スケジューリングウィンドウ内のＬ個の伝送ウィンドウの数、および伝送ウィンドウ内のＱ個の利用可能なサブフレームのためのフィールドは、５ビットを含む。
【表３−１】
2019503150.tif 000006
【表３−２】
2019503150.tif 000007
【０１１２】
さらなる簡略化のために、伝送ウィンドウ内のＱ個の利用可能なサブフレームの数は、６つのサブフレームの設定値に限定され得、本時点において、情報ＴＢＳパラメータおよびスケジューリングウィンドウパラメータ内のＬ個の伝送ウィンドウの数のジョイントコーディングと等価であることに留意されたい。
【０１１３】
第４の実施形態は、Ｋ個の伝送ウィンドウを含むスケジューリングウィンドウ内のＬ個の伝送ウィンドウ位置を判定するための具体的実施例を与える。
【０１１４】
１つの方法は、事前定義方法である。例えば、１つのスケジューリングウィンドウは、１６（Ｋ）の伝送ウィンドウを含み、スケジューリングウィンドウ内の伝送ウィンドウの数（Ｌ）の可能性として考えられる値は、４および８であると仮定する。具体的利用方法は、以下の図４に示されるように、スケジューリングウィンドウ内の伝送ウィンドウの数と伝送ウィンドウシーケンス番号（伝送ウィンドウの位置と等価である）との間の固定マッピングを構成することである。
【表４】
2019503150.tif 000008
【０１１５】
情報伝送の伝送ウィンドウシーケンス番号は、０から１５に及ぶ値を伴う、スケジューリングウィンドウを構成する１６の伝送ウィンドウの範囲内の付番（物理番号）を含む。図４に示される所定の方法を使用して、スケジューリングウィンドウ内の伝送ウィンドウ位置は、セルＰＣＩＤに関連せず、異なるセルは、常時、同一伝送ウィンドウを占有する（すなわち、異なるセルによって占有される伝送ウィンドウは、完全に重複する）。
【０１１６】
別の方法は、ＰＣＩＤに基づいて、情報伝送のＬ個の伝送ウィンドウの位置を判定することである。
【０１１７】
例えば、スケジューリングウィンドウが、８つ（Ｋ）の伝送ウィンドウを含み、４つ（Ｌ）の伝送ウィンドウが、情報を伝送するためにスケジューリングウィンドウ内で使用されると仮定する。本時点において、スケジューリングウィンドウ内で情報を伝送するために使用される４つの伝送ウィンドウの候補位置は、全体で、２（Ｘ＝Ｋ／Ｌ）を含む。
【０１１８】
候補位置に対応する４つの伝送ウィンドウは、図７（ａ）における対角線陰影によって示されるように、４つの連続的伝送ウィンドウであり得、または伝送ウィンドウは、図７（ｂ）における対角線陰影によって示されるように、断続的に現れる２つの断続伝送ウィンドウを伴う等、４つの非連続的伝送ウィンドウであり得る。
【０１１９】
具体的動作は、以下を含む。
【０１２０】
以下の式：ｍｏｄ（ＰＣＩＤ，２）またはｍｏｄ（ｆｌｏｏｒ（ＰＣＩＤ／Ｙ），２）に従って、全てのＰＣＩＤを２つのタイプに割り当てることであって、Ｙは、伝送ウィンドウ内の情報伝送のための利用可能なサブフレームの候補位置の数（例えば、３の値）を示す、ことと、０の表現値を伴うＰＣＩＤをタイプ−１に割り当てることと（すなわち、タイプ−１  ＰＣＩＤは、偶数付番ＰＣＩＤと等価である）、１の表現値を伴うＰＣＩＤをタイプ−２  ＰＣＩＤに割り当てること（すなわち、タイプ−２  ＰＣＩＤは、奇数付番ＰＣＩＤと等価である）であり、偶数付番および奇数付番ＰＣＩＤは、相互に区別され、１対１対応が、図８に示されるように、２つのタイプの候補位置間に確立される。すなわち、偶数付番ＰＣＩＤに関して、情報は、第１の候補位置において伝送され、奇数付番ＰＣＩＤに関して、情報は、第２の候補位置において伝送される。
【０１２１】
第５の実施形態は、Ｐ個のサブフレームを含む伝送ウィンドウ内の情報伝送のＱ個の利用可能なサブフレーム候補位置を判定する方法の具体的実施例を与える。
【０１２２】
１つの方法は、事前定義方法である。例えば、伝送ウィンドウは、１６（Ｐ）の利用可能なサブフレームを含み、伝送ウィンドウ内の情報伝送のための利用可能なサブフレームの数（Ｑ）の可能性として考えられる値は、４、６、および８であると仮定する。具体的利用方法は、以下の図５に示されるように、伝送ウィンドウ内の利用可能なサブフレームの数と利用可能なサブフレームシーケンス番号（利用可能なサブフレームの位置と等価である）との間の固定マッピングを構成することである。
【表５】
2019503150.tif 000009
【０１２３】
図５に示されるような事前定義方法を利用することで、伝送ウィンドウ内の利用可能なサブフレームの位置は、ＰＣＩＤまたは伝送ウィンドウシーケンス番号に関連しない。すなわち、異なるセルおよび／または異なる伝送ウィンドウに関して、情報伝送のための利用可能なサブフレームは、常時、同一であり、これは、設計簡略化を促進する。
【０１２４】
別の方法は、セルＰＣＩＤおよび／または伝送ウィンドウシーケンス番号に基づいて、伝送ウィンドウ内の情報伝送のためのＱ個の利用可能なサブフレームの位置を判定することである。例えば、伝送ウィンドウは、１８（Ｐ）の利用可能なサブフレームを含み、６つ（Ｑ）の利用可能なサブフレームが、データを伝送するために伝送ウィンドウ内で使用されると仮定する。本時点において、情報を伝送するために使用される６つの伝送ウィンドウの候補位置は、全体で、３（Ｙ＝Ｐ／Ｑ）を含む。
【０１２５】
候補位置に対応する６つの利用可能なサブフレームは、図９（ａ）における対角線陰影が示すように、６つの連続的利用可能なサブフレームであることができ、または利用可能なサブフレームは、図９（ｂ）における対角線陰影によって示されるように、断続的に現れる３つの断続的利用可能なサブフレームを伴う等、６つの非連続的サブフレームであることができる。
【０１２６】
具体的動作は、以下を含む。
【０１２７】
以下の式：ｍｏｄ（ＰＣＩＤ、３）またはｍｏｄ（ｆｌｏｏｒ（ＰＣＩＤ／Ｘ）、３）に従って、全てのＰＣＩＤを３つのタイプに分離することであって、Ｘは、スケジューリングウィンドウ内の情報伝送のための伝送ウィンドウの候補位置の数（例えば、２の値）を表す、ことと、０の表現値を伴うＰＣＩＤをタイプ−１に、１の表現値を伴うＰＣＩＤをタイプ−２  ＰＣＩＤに、２の表現値を伴うＰＣＩＤをタイプ−３  ＰＣＩＤに割り当てることであって、３つのタイプは、相互に区別され、図１０に示されるように、３つの候補位置間には、１対１対応が存在する、こととである。すなわち、タイプ−１  ＰＣＩＤに関して、情報は、第１の候補位置において伝送され、タイプ−２  ＰＣＩＤに関して、情報は、第２の候補位置において伝送され、タイプ−３  ＰＣＩＤに関して、情報は、第３の候補位置において伝送される。
【０１２８】
または、
【０１２９】
以下の式：ｍｏｄ（ＮＴＷ、３）に従って、全てのＮＴＷシーケンス番号（例えば、スケジューリングウィンドウ内の情報伝送のためのＬ個の伝送ウィンドウの数が８である場合、ＮＴＷ値の範囲は、０〜７である）を３つのタイプに分離することと、０の表現値を伴うＮＴＷをタイプ−１付番に、１の表現値を伴うＮＴＷをタイプ−２付番に、および２の表現値を伴うＮＴＷをタイプ−３付番に割り当てることであって、３つのタイプは、相互に区別され、図１１に示されるように、３つの候補位置間には１対１対応が存在する、こととである。すなわち、タイプ−１  ＮＴＷに関して、情報は、第１の候補位置において伝送され、タイプ−２  ＮＴＷに関して、情報は、第２の候補位置において伝送され、タイプ−３  ＮＴＷに関して、情報は、第３の候補位置において伝送される。
【０１３０】
または、
【０１３１】
以下の式：ｍｏｄ（ＰＣＩＤ＋ＮＴＷ，３）またはｍｏｄ（ｆｌｏｏｒ（ＰＣＩＤ／Ｘ）＋ＮＴＷ，３）に従って、ＰＣＩＤおよびＮＴＷ伝送ウィンドウシーケンス番号の異なるグループ（例えば、スケジューリングウィンドウ内の情報伝送のためのＬ個の伝送ウィンドウの数が８である場合、ＮＴＷ値の範囲は、０〜７である）を３つのタイプのうちの１つに割り当てることであって、式中、Ｘは、スケジューリングウィンドウ内の情報伝送のための伝送ウィンドウの候補位置の数（例えば、２の値）を表す、ことと、０の表現値を伴うグループをタイプ−１グループ化に、１の表現値を伴うグループをタイプ−２グループ化に、２の表現値を伴うグループをタイプ−３グループ化に割り当てることであって、３つのタイプは、相互に区別され、図１２に示されるように、３つの候補位置間には１対１対応が存在する、こととである。すなわち、タイプ−１グループ化に関して、情報は、第１の候補位置において伝送され、タイプ−２グループ化に関して、情報は、第２の候補位置において伝送され、タイプ−３グループ化に関して、情報は、第３の候補位置において伝送される。
【０１３２】
第６の実施形態は、非帯域内動作における第２のＰＢＣＨリソースの実施例を与える。
【０１３３】
実施例として、１つのＰＢＣＨサブブロックサイクル（８つの無線フレームを含む）を使用すると、図１３は、本実施形態の非帯域内動作における第２のＰＢＣＨリソースの概略図である。図１３に示されるように、全ての無線フレームの最終サブフレーム内のＯＦＤＭシンボルは、図１３における水平線陰影が示すように、最初の３つのＯＦＤＭシンボル以外のＯＦＤＭシンボルを含み、ＰＳＳ／ＳＳＳリソースとして使用される。ＰＢＣＨサブブロックに配分されるＯＦＤＭシンボルリソースは、２つの部分を含み、第１の部分は、図１３の雪片状ドット陰影が示すように、第１のＰＢＣＨリソース（すなわち、全ての無線フレームの第１のサブフレーム（第１のＰＢＣＨサブフレーム）内の最初の３つのＯＦＤＭシンボルを除外する、ＯＦＤＭシンボルリソース）と呼ばれることができ、第２の部分は、図１３における斜めボックス陰影が示すように、ＰＳＳ／ＳＳＳサブフレーム（全ての無線フレームの最後のサブフレーム）内の最初の３つのＯＦＤＭシンボルおよび第１のＰＢＣＨサブフレームを含む、第２のＰＢＣＨリソースと呼ばれることができる。
【０１３４】
第２のＰＢＣＨリソース上でのＰＢＣＨ伝送のために、伝送されるＰＢＣＨチャネルコーディングされたデータは、１つの第２のＰＢＣＨサブフレーム（全ての無線フレーム内の最初および最後のサブフレーム）内の第２のＰＢＣＨリソースの量（すなわち、３つのＯＦＤＭシンボル）に基づいて生成され、生成されたＰＢＣＨチャネルコーディングされたデータは、第２のＰＢＣＨリソースが１つの第２のＰＢＣＨサブフレーム内で搬送し得る、ＰＢＣＨチャネルコーディングされたデータの量と等価であり、変調されたＰＢＣＨチャネルコードデータは、ＯＦＤＭシンボルシーケンス番号に従って、１つのＰＢＣＨサブブロックサイクル内の２つおきのＰＢＣＨサブフレームの第２のＰＢＣＨリソースとして使用される、３つのＯＦＤＭシンボルリソースに連続してマッピングされる。すなわち、１つのＰＢＣＨサブブロックサイクル内の１６の第２のＰＢＣＨサブフレームの第２のＰＢＣＨリソース上での１６の反復伝送である。
【０１３５】
図１４は、少なくとも構成モジュールと、処理モジュールとを備える、本実施形態のシステム情報伝送装置の構造の概略図であり、構成モジュールは、伝送ウィンドウをスケジューリングウィンドウ内に設定するように構成され、スケジューリングウィンドウは、Ｋ個の伝送ウィンドウを含み、伝送ウィンドウは、Ｐ個の利用可能なサブフレームを含み、Ｋは、０を上回る整数であり、Ｐは、１を上回る整数であり、処理モジュールは、伝送ウィンドウ内の利用可能なサブフレームを利用して情報を伝送するように構成され、スケジューリングウィンドウは、Ｎ１個のＰＢＣＨスケジューリングサイクルを含み、またはＮ２個のＰＢＣＨサブブロックサイクルを含み、伝送ウィンドウは、１／２個のＰＢＣＨサブブロックサイクルもしくはＭ個のＰＢＣＨサブブロックサイクルを含み、または横切って連続するＰ個の利用可能なサブフレームを含み、Ｎ１、Ｎ２、およびＭは全て、０を上回る整数であり、全てのＰＢＣＨスケジューリングサイクルは、少なくとも１つのＰＢＣＨサブブロックサイクルを含む。
【０１３６】
本実施形態の装置の処理モジュールは、Ｋ個の伝送ウィンドウ内でＳＩＢ１情報等の情報を伝送するために使用される、Ｌ個の伝送ウィンドウ（Ｗ０、Ｗ１、．．．、Ｗｉ、ＷＬ−１と付番されたＬ個の伝送ウィンドウ等）を取得し、Ｌ個の伝送ウィンドウ内の任意の伝送ウィンドウに関して、情報の伝送のためのＱ個の利用可能なサブフレームが、得られ、情報が、取得されたＱ個のサブフレーム上で伝送されるように具体的に構成され、Ｌは、０を上回る整数であり、かつＫ未満またはそれと等しく、Ｑは、１を上回る整数である。
【０１３７】
取得されたＱ個の利用可能なサブフレーム上で情報を伝送することは、伝送ウィンドウ内の情報伝送のためのＱ個の利用可能なサブフレームの数に基づいて、または伝送ウィンドウ内の情報伝送のためのＱ個の利用可能なサブフレームの数および伝送ウィンドウシーケンス番号に基づいて、情報のチャネルコーディングされたデータを得ることと、情報の取得されたチャネルコーディング情報をＱ個の利用可能なサブフレーム上にマッピングし、伝送することとを含む。
【０１３８】
本明細書に説明されたものは、本発明の最適実施形態のみであって、その請求項を限定することを意味するものではない。本発明は、任意の数の改変または変更を受け得る。本発明の精神および原理内にある、任意ならびに全ての修正、均等物代用、改良等は、本実施形態の範囲内に含まれるべきである。
【産業上の利用可能性】
【０１３９】
本実施形態によって提供される技術的ソリューションは、伝送ウィンドウをスケジューリングウィンドウ内で構成することであり、スケジューリングウィンドウは、Ｋ個の伝送ウィンドウを含み、伝送ウィンドウは、Ｐ個の利用可能なサブフレームを含有し、Ｋは、０を上回る整数であり、Ｐは、１を上回る整数である、ことと、伝送ウィンドウ内の利用可能なサブフレーム上で情報を伝送することとによって、情報伝送のプロセスに適用されることができる。データを伝送するために伝送ウィンドウ内で少なくとも２つのサブフレームを使用することによって、本実施形態によって提供される技術的ソリューションは、もはや単一サブフレーム内に制限されないＳＩＢ１情報等のシステム情報のチャネルコーディングおよびレートマッチングを可能にする。本技術は、ＮＢ−ＩｏＴ等のシステムにおけるシステム情報伝送に特に適用可能であり、ＮＢ−ＩｏＴ  ＳＩＢ１情報等のシステム情報の伝送性能を確実にする。
【図１】
2019503150.tif 000010
【図２】
2019503150.tif 000011
【図３】
2019503150.tif 000012
【図４】
2019503150.tif 000013
【図５】
2019503150.tif 000014
【図６】
2019503150.tif 000015
【図７】
2019503150.tif 000016
【図８】
2019503150.tif 000017
【図９】
2019503150.tif 000018
【図１０】
2019503150.tif 000019
【図１１】
2019503150.tif 000020
【図１２】
2019503150.tif 000021
【図１３】
2019503150.tif 000022
【図１４】
2019503150.tif 000023
【手続補正書】
【提出日】平成30年8月28日(2018.8.28)
【手続補正１】
【補正対象書類名】特許請求の範囲
【補正対象項目名】全文
【補正方法】変更
【補正の内容】
【特許請求の範囲】
【請求項１】
ワイヤレス通信ノードによって行われる方法であって、
スケジューリングウィンドウをＫ個の伝送ウィンドウの中に構成することであって、前記Ｋ個の伝送ウィンドウのそれぞれは、複数のサブフレームを含む、ことと、
Ｌ個の伝送ウィンドウを前記Ｋ個の伝送ウィンドウから判定することと、
Ｑ個のサブフレームを前記Ｌ個の伝送ウィンドウから判定することと、
前記Ｑ個のサブフレームを使用して、第１のシステム情報ブロードキャスト（ＳＩＢ１）メッセージをブロードキャストすることであって、Ｌは、０を上回る整数であり、かつＫ未満またはそれと等しく、ＫおよびＱはそれぞれ、１を上回る整数である、ことと
を含む、方法。
【請求項２】
前記ＳＩＢ１メッセージをブロードキャストするために使用される前記Ｑ個のサブフレームのそれぞれは、規定されたサブフレームのセット内において一次同期信号（ＰＳＳ）、二次同期信号（ＳＳＳ）、およびＰＢＣＨサブフレームの伝送後に残っているサブフレームのセットに属し、周波数分割複信（ＦＤＤ）システムのための前記規定されたサブフレームのセットは、０、４、５、および９と付番された全てのサブフレームを含む、請求項１に記載の方法。
【請求項３】
前記スケジューリングウィンドウは、Ｎ１個の物理ブロードキャストチャネル（ＰＢＣＨ）スケジューリングサイクルを含み、前記伝送ウィンドウは、Ｍ個のＰＢＣＨサブブロックサイクルを含み、Ｎ１およびＭは、正の整数である、請求項１に記載の方法。
【請求項４】
物理セル識別（ＰＣＩＤ）を通して、前記Ｌ個の伝送ウィンドウの個別の場所を識別することをさらに含む、請求項１に記載の方法。
【請求項５】
非帯域内モード下で動作するとき、前記Ｑ個のサブフレームの全ての直交周波数分割多重（ＯＦＤＭ）シンボルは、情報を伝送するために使用される、請求項１に記載の方法。
【請求項６】
非帯域内モード下で動作するとき、前記スケジューリングウィンドウのサイズは、帯域内モード下で動作するときの前記スケジューリングウィンドウのサイズを超えず、前記伝送ウィンドウのサイズは、帯域内モードで動作するときの前記伝送ウィンドウのサイズを超えない、請求項１に記載の方法。
【請求項７】
前記Ｌ個の伝送ウィンドウのための候補位置の数は、ｆｌｏｏｒ（Ｋ／Ｌ）であり、ｊ番目の候補位置に対応する前記Ｌ個の伝送ウィンドウは、（ｊ−１）と付番された前記伝送ウィンドウから開始し、ｆｌｏｏｒ（Ｋ／Ｌ）の隣接する伝送ウィンドウ間隔を伴う、Ｌ個の非連続的伝送ウィンドウであり、ｊは、１を上回るまたはそれと等しく、かつｆｌｏｏｒ（Ｋ／Ｌ）未満またはそれと等しい整数であり、「ｆｌｏｏｒ」は、整数演算が下方に丸められることを示す、請求項１に記載の方法。
【請求項８】
前記伝送ウィンドウ内の前記Ｑ個のサブフレームの候補位置の数は、ｆｌｏｏｒ（Ｐ／Ｑ）であり、ｊ番目の候補位置に対応する前記Ｑ個の利用可能なサブフレームは、（ｊ−１）と付番された前記利用可能なサブフレームから開始し、ｆｌｏｏｒ（Ｐ／Ｑ）の隣接する利用可能なサブフレーム間隔を伴う、非連続的Ｑ個の利用可能なサブフレームであり、ｊは、１を上回るまたはそれと等しく、かつｆｌｏｏｒ（Ｐ／Ｑ）未満またはそれと等しい整数であり、「ｆｌｏｏｒ」は、整数演算が下方に丸められることを示す、請求項１に記載の方法。
【請求項９】
請求項１〜８のいずれか１項を実施するためのコンピュータ実行可能命令をその上に記憶している、非一過性コンピュータ可読媒体。
【請求項１０】
少なくとも１つのプロセッサを備えるシステム情報伝送装置であって、前記少なくとも１つのプロセッサは、
スケジューリングウィンドウをＫ個の伝送ウィンドウの中に構成することであって、前記Ｋ個の伝送ウィンドウのそれぞれは、複数のサブフレームを含む、ことと、
Ｌ個の伝送ウィンドウを前記Ｋ個の伝送ウィンドウから判定することと、
Ｑ個のサブフレームを前記Ｌ個の伝送ウィンドウから判定することと、
前記Ｑ個のサブフレームを使用して、第１のシステム情報ブロードキャスト（ＳＩＢ１）メッセージをブロードキャストすることであって、Ｌは、０を上回る整数であり、かつＫ未満またはそれと等しく、ＫおよびＱはそれぞれ、１を上回る整数である、ことと
を行うように構成されている、システム情報伝送装置。
【請求項１１】
前記ＳＩＢ１メッセージをブロードキャストするために使用される前記Ｑ個のサブフレームのそれぞれは、規定されたサブフレームのセット内において一次同期信号（ＰＳＳ）、二次同期信号（ＳＳＳ）、およびＰＢＣＨサブフレームの伝送後に残っているサブフレームのセットに属し、周波数分割複信（ＦＤＤ）システムのための前記規定されたサブフレームのセットは、０、４、５、および９と付番された全てのサブフレームを含む、請求項１０に記載のシステム情報伝送装置。
【請求項１２】
前記スケジューリングウィンドウは、Ｎ１個の物理ブロードキャストチャネル（ＰＢＣＨ）スケジューリングサイクルを含み、前記伝送ウィンドウは、Ｍ個のＰＢＣＨサブブロックサイクルを含み、Ｎ１およびＭは、正の整数である、請求項１０に記載のシステム情報伝送装置。
【請求項１３】
前記少なくとも１つのプロセッサはさらに、物理セル識別（ＰＣＩＤ）を通して、前記Ｌ個の伝送ウィンドウの個別の場所を識別するように構成されている、請求項１０に記載のシステム情報伝送装置。
【請求項１４】
非帯域内モード下で動作するとき、前記Ｑ個のサブフレームの全ての直交周波数分割多重（ＯＦＤＭ）シンボルは、情報を伝送するために使用される、請求項１０に記載のシステム情報伝送装置。
【請求項１５】
非帯域内モード下で動作するとき、前記スケジューリングウィンドウのサイズは、帯域内モードで動作するときの前記スケジューリングウィンドウのサイズを超えず、前記伝送ウィンドウのサイズは、帯域内モードで動作するときの前記伝送ウィンドウのサイズを超えない、請求項１０に記載のシステム情報伝送装置。
【手続補正２】
【補正対象書類名】明細書
【補正対象項目名】００４０
【補正方法】変更
【補正の内容】
【００４０】
本実施形態の特徴および利点は、以下の明細書に記載され、部分的に、説明から明白となり、またはその実装によって理解されるであろう。本実施形態の目的および他の利点は、請求項、明細書、ならびに付随の図に特に指摘される構造を使用して、実装および達成されることができる。
本願明細書は、例えば、以下の項目も提供する。
（項目１）
情報伝送方法であって、
伝送ウィンドウをスケジューリングウィンドウ内で構成することであって、スケジューリングウィンドウは、Ｋ個の伝送ウィンドウを含み、伝送ウィンドウは、Ｐ個の利用可能なサブフレームを含み、Ｋは、０を上回る整数であり、Ｐは、１を上回る整数である、ことと、
前記伝送ウィンドウ内で利用可能なサブフレームを利用してデータを伝送することと
を含む、情報伝送方法。
（項目２）
前記スケジューリングウィンドウは、Ｎ１個の物理ブロードキャストチャネル（ＰＢＣＨ）スケジューリングサイクルまたはＮ２個のＰＢＣＨサブブロックサイクルを含み、
前記伝送ウィンドウは、１／２個のＰＢＣＨサブブロックサイクルもしくはＭ個のＰＢＣＨサブブロックサイクル、または横切って連続するＰ個の利用可能なサブフレームを含み、Ｎ１、Ｎ２、およびＭは全て、０を上回る整数であり、
全てのＰＢＣＨスケジューリングサイクルは、少なくとも１つのＰＢＣＨサブブロックサイクルを含む、項目１に記載の情報伝送方法。
（項目３）
前記伝送ウィンドウ内で利用可能なサブフレームを利用してデータを伝送することは、
Ｋ個の伝送ウィンドウ内に、情報伝送のためのＬ個の伝送ウィンドウを得ることと、
前記Ｌ個の伝送ウィンドウのうちの任意の１つ内に、情報を伝送するために使用されるＱ個の利用可能なサブフレームを得ることと、
前記取得されたＱ個の利用可能なサブフレームに関する情報を伝送することと
を含み、
Ｌは、０を上回る整数であり、かつＫ未満またはそれと等しく、Ｑは、１を上回る整数である、項目１に記載の情報伝送方法。
（項目４）
前記利用可能なサブフレームのいずれかは、規定されたサブフレームのセット内において一次同期信号／二次同期信号（ＰＳＳ／ＳＳＳ）の伝送のサブフレームおよびＰＢＣＨサブフレーム以外の残りのサブフレームのセットに属する、項目１に記載の情報伝送方法。
（項目５）
周波数分割複信（ＦＤＤ）システムのための規定されたサブフレームセットは、０、４、５、および９と付番された全てのサブフレームを含み、
時分割複信（ＴＤＤ）システムのための規定されたサブフレームセットは、０、１、５、および６と付番された全てのサブフレームを含み、または１および６と付番された全てのサブフレームを含む、項目４に記載の情報伝送方法。
（項目６）
前記取得されたＱ個の利用可能なサブフレームに関する情報を伝送することは、
前記伝送ウィンドウ内の情報伝送のための利用可能なサブフレームの数であるＱに基づいて、または前記Ｑおよび伝送ウィンドウシーケンス番号に基づいて、前記情報のチャネルコーディングされたデータを得ることを含み、
前記得られたチャネルコーディングされたデータは、次いで、Ｑ個の利用可能なサブフレームにマッピングされ、伝送される、項目３に記載の情報伝送方法。
（項目７）
前記Ｑおよび前記伝送ウィンドウシーケンス番号に基づいて、前記情報のチャネルコーディングされたデータを得ることは、
前記伝送ウィンドウ内の情報伝送のためのＱ個の利用可能なサブフレームの数に従って、前記情報のチャネルコーディングされたデータの量を得ることと、
前記伝送ウィンドウシーケンス番号に従って、前記情報のチャネルコーディングされたデータの冗長バージョン（ＲＶ）を得ることと
を含む、項目６に記載の情報伝送方法。
（項目８）
前記情報伝送のためのＬ個の伝送ウィンドウを得ることは、
前記情報伝送のための伝送ウィンドウの数であるＬの値を示すように事前定義または信号伝達することと、
前記情報伝送のためのＬ個の伝送ウィンドウの位置を示すように事前定義または信号伝達すること、または、物理セル識別（ＰＣＩＤ）に従って前記Ｌ個の伝送ウィンドウの位置を判定することと
を含む、項目３に記載の情報伝送方法。
（項目９）
前記伝送ウィンドウ内の情報伝送のためのＱ個の利用可能なサブフレームを得ることは、
前記伝送ウィンドウ内の情報の伝送のための利用可能なサブフレームの数であるＱの値を事前定義または信号伝達することと、
前記伝送ウィンドウ内の情報の伝送のための前記Ｑ個の利用可能なサブフレームの位置を事前定義または信号伝達すること、または、前記ＰＣＩＤおよび／または伝送ウィンドウシーケンス番号に従って前記伝送ウィンドウ内の情報の伝送のための前記Ｑ個の利用可能なサブフレームの位置を判定することと
を含む、項目３に記載の情報伝送方法。
（項目１０）
前記Ｌの値および前記Ｑの値が、信号伝達することによって示されるとき、指示様式は、前記Ｌの値および前記情報の転送ブロックサイズ（ＴＢＳ）のジョイントコーディング、または前記Ｑの値および前記情報のＴＢＳのジョイントコーディング、または前記Ｌの値および前記Ｑの値のジョイントコーディング、または前記Ｌの値、前記Ｑの値、および前記システム情報のＴＢＳのジョイントコーディングを含む、項目８および９に記載の情報伝送方法。
（項目１１）
前記Ｋ個の伝送ウィンドウ内の情報を伝送するために使用されるＬ個の伝送ウィンドウは、連続または非連続的Ｌ個の伝送ウィンドウであり、前記伝送ウィンドウ内の情報を伝送するために使用されるＱ個の利用可能なサブフレームは、連続または非連続的Ｑ個の利用可能なサブフレームである、項目３に記載の情報伝送方法。
（項目１２）
前記伝送ウィンドウのサイズおよび／または前記スケジューリングウィンドウのサイズを事前定義または信号伝達することをさらに含む、項目１に記載の情報伝送方法。
（項目１３）
前記伝送ウィンドウが、横切って連続するＰ個の利用可能なサブフレームであるとき、Ｐは、Ｑと等しい、項目３に記載の情報伝送方法。
（項目１４）
前記Ｌ個の伝送ウィンドウのための候補位置の数は、ｆｌｏｏｒ（Ｋ／Ｌ）であり、
ｊ番目の候補位置に対応する前記Ｌ個の伝送ウィンドウは、
Ｌ・（ｊ−１）と付番された前記伝送ウィンドウから開始するＬ個の連続的伝送ウィンドウ、または、（ｊ−１）と付番された前記伝送ウィンドウから開始し、ｆｌｏｏｒ（Ｋ／Ｌ）の隣接する伝送ウィンドウ間隔を伴う、Ｌ個の非連続的伝送ウィンドウのようになり、
ｊは、１を上回るまたはそれと等しく、かつｆｌｏｏｒ（Ｋ／Ｌ）未満またはそれと等しい整数であり、「ｆｌｏｏｒ」は、前記整数演算が下方に丸められることを示す、項目３に記載の情報伝送方法。
（項目１５）
前記ＰＣＩＤに従って前記Ｌ個の伝送ウィンドウの位置を判定することは、
事前に確立されたルールに従って、全てのＰＣＩＤをＸ個のタイプに割り当てることであって、Ｘは、０を上回る整数であり、前記スケジューリングウィンドウ内で情報伝送のために使用される前記Ｌ個の伝送ウィンドウの候補位置の数を示す、ことと、
１対１の比を使用して、前記情報伝送のためのＬ個の伝送ウィンドウのＸ個の候補位置に対応するようにＸ個のタイプのＰＣＩＤを設定することと
を含む、項目８に記載の情報伝送方法。
（項目１６）
前記事前に確立されたルールは、
以下の式：ｍｏｄ（ＰＣＩＤ，Ｘ）またはｍｏｄ（ｆｌｏｏｒ（ＰＣＩＤ／Ｙ），Ｘ）に関して等価表現値を伴うＰＣＩＤを同一カテゴリに割り当てることを含み、
「ｍｏｄ」は、前記演算が剰余をとることを示し、「ｆｌｏｏｒ」は、前記整数演算が下方に丸められることを示し、Ｙは、０を上回る整数であり、伝送ウィンドウ内の情報伝送のためのＱ個の利用可能なサブフレームの候補位置の数を示す、項目１５に記載の情報伝送方法。
（項目１７）
前記伝送ウィンドウ内の情報伝送のためのＱ個の利用可能なサブフレームの候補位置の数は、ｆｌｏｏｒ（Ｐ／Ｑ）であり、
ｊ番目の候補位置に対応する前記Ｑ個の利用可能なサブフレームは、
Ｑ・（ｊ−１）と付番された前記利用可能なサブフレームから開始する連続的Ｑ個の利用可能なサブフレーム、または
（ｊ−１）と付番された前記利用可能なサブフレームから開始し、ｆｌｏｏｒ（Ｐ／Ｑ）の隣接する利用可能なサブフレーム間隔を伴う、非連続的Ｑ個の利用可能なサブフレームのようになり、
ｊは、１を上回るまたはそれと等しく、かつｆｌｏｏｒ（Ｐ／Ｑ）未満またはそれと等しい整数であり、「ｆｌｏｏｒ」は、前記整数演算が下方に丸められることを示す、項目３に記載の情報伝送方法。
（項目１８）
前記伝送ウィンドウ内の情報伝送のための前記Ｑ個の利用可能なサブフレームの位置が、ＰＣＩＤおよび／または前記伝送ウィンドウシーケンス番号によって判定されるとき、前記判定は、
第１の事前に設定されたルールに従って、前記ＰＣＩＤの全てをＹ個のタイプに分類することであり、Ｙは、０を上回る整数であり、前記スケジューリングウィンドウ内の前記Ｑ個の利用可能なサブフレームの候補位置の数を示す、ことと、１対１の比を用いて、前記情報伝送のためのＱ個の利用可能なサブフレームのＹ個の候補位置に対応するようにＹ個のタイプのＰＣＩＤを設定することと、または
第２の事前に設定されたルールに従って、前記伝送ウィンドウシーケンス番号の全てをＹ個のタイプに分類することと、１対１の比を用いて、前記情報伝送のための前記Ｑ個の利用可能なサブフレームのＹ個の候補位置に対応するようにＹ個のタイプの伝送ウィンドウシーケンス番号を設定することと、または
前記ＰＣＩＤの全てを前記伝送ウィンドウシーケンス番号と組み合わせ、第３の事前に設定されたルールに従って、Ｙ個のタイプに分類することと、１対１の比を使用して、前記情報伝送のための前記Ｑ個の利用可能なサブフレーム内のＹ個の候補位置に対応するようにＹ個のタイプ伝送ウィンドウシーケンス番号を構成することと
を含む、項目９に記載の情報伝送方法。
（項目１９）
前記第１の事前に設定されたルールは、
以下の式：ｍｏｄ（ＰＣＩＤ，Ｙ）またはｍｏｄ（ｆｌｏｏｒ（ＰＣＩＤ／Ｘ），Ｙ）に関して等価表現値を伴うＰＣＩＤを同一カテゴリに割り当てることを含み、
前記第２の事前に設定されたルールは、
以下の式：ｍｏｄ（ＮＴＷ，Ｙ）に関して等価表現値を伴う重複ウィンドウシーケンス番号を同一カテゴリに割り当てることを含み、
前記第３の事前に設定されたルールは、
以下の式：ｍｏｄ（ＰＣＩＤ＋ＮＴＷ，Ｙ）または（ｆｌｏｏｒ（ＰＣＩＤ／Ｘ）＋ＮＴＷ，Ｙ）に関して等価表現値を伴うＰＣＩＤおよび重複ウィンドウシーケンス番号のグループを同一カテゴリに割り当てることを含み、
「ｍｏｄ」は、前記演算が剰余をとることを示し、「ｆｌｏｏｒ」は、前記整数演算が下方に丸められることを示し、ＮＴＷは、前記重複ウィンドウシーケンス番号を示し、Ｘは、０を上回る整数であり、スケジューリングウィンドウ内の情報の伝送のためのＬ個の重複ウィンドウの候補位置の数を示す、項目１８に記載の情報伝送方法。
（項目２０）
信号伝達は、以下：無線フレーム番号、スーパーフレーム番号、動作モード、基準信号（ＲＳ）シーケンス構成、ＲＳポート番号構成、異なる物理チャネル間の周波数オフセット、基地局アップリンクアクセス能力、およびダウンリンク制御チャネル構成のうちの少なくとも１つを示すために使用され、
基地局アップリンクアクセス能力は、前記基地局が、単一キャリアおよび／または複数のキャリア使用に基づいて、アップリンクアクセスモードおよび対応するキャリア帯域幅をサポートすることができるかどうかを示すために使用される、項目８、９、または１２に記載の情報伝送方法。
（項目２１）
動作モードおよびＲＳシーケンス構成は、ジョイントコーディングされる、項目２０に記載の情報伝送方法。
（項目２２）
帯域内動作のために、
信号伝達命令のコンテンツまたは前記情報のコンテンツが、前記ＲＳポート番号構成を含むとき、
前記ＲＳポート番号構成を搬送する物理ダウンリンクチャネルおよび前記ＲＳポート番号構成を搬送する物理ダウンリンクチャネルを受信する前に受信された物理ダウンリンクチャネルは両方とも、４−ポートＲＳに基づいて、リソースマッピングされ、前記ＲＳポート番号構成を搬送する前記物理ダウンリンクチャネルを受信した後、前記物理ダウンリンクチャネルは、前記ＲＳポート番号構成によって示されるＲＳポート番号のＲＳに従って、リソースマッピングを実装し、
前記信号伝達命令のコンテンツまたは前記情報のコンテンツが、前記ＲＳポート番号構成を含まないとき、全ての物理ダウンリンクチャネルは、４−ポートＲＳに基づいて、リソースマッピングを実装する、項目１または２０に記載の情報伝送方法。
（項目２３）
信号伝達命令のコンテンツが、ＲＳシーケンス構成を含むとき、前記ＲＳシーケンス構成は、以下：狭帯域モノのインターネット（ＮＢ−ＩｏＴ）のために使用される物理リソースブロック（ＰＲＢ）のインデックス、ＬＴＥシステム帯域幅中心周波数点に関連する前記ＮＢ−ＩｏＴの周波数オフセットのうちの１つを含む、項目２０に記載の情報伝送方法。
（項目２４）
前記情報のコンテンツは、初期アクセスに関連する構成パラメータの全てを含む、項目１に記載の情報伝送方法。
（項目２５）
非帯域内動作において、情報は、前記サブフレーム内の直交周波数分割多重（ＯＦＤＭ）シンボルリソースの全てを占有し、および／または、前記スケジューリングウィンドウのサイズは、帯域内動作で使用されるスケジューリングウィンドウのサイズを超えず、前記伝送ウィンドウのサイズは、帯域内動作で使用される伝送ウィンドウのサイズを超えない、項目１に記載の情報伝送方法。
（項目２６）
情報は、限定ではないが、ＮＢ−ＩｏＴ  ＳＩＢ１メッセージおよびページングメッセージを含む、項目１に記載の情報伝送方法。
（項目２７）
信号伝達は、ＰＢＣＨ信号伝達を含む、項目８、９、または１２に記載の情報伝送方法。
（項目２８）
非帯域内動作において、一次同期信号／二次同期信号（ＰＳＳ／ＳＳＳ）サブフレームの伝送の最初の３つのＯＦＤＭシンボルは、前記ＰＢＣＨ伝送上で使用される、項目２７に記載の情報伝送方法。
（項目２９）
構成モジュールと、処理モジュールとを備えるあるタイプの情報伝送装置であって、
構成モジュールは、伝送ウィンドウをスケジューリングウィンドウ内に設定するように構成され、
スケジューリングウィンドウは、Ｋ個の伝送ウィンドウを含み、伝送ウィンドウは、Ｐ個の利用可能なサブフレームを含み、Ｋは、０を上回る整数であり、Ｐは、１を上回る整数であり、
処理モジュールは、前記伝送ウィンドウ内の利用可能なサブフレームを利用して情報を伝送するように構成されている、情報伝送装置。
（項目３０）
スケジューリングウィンドウは、Ｎ１個のＰＢＣＨスケジューリングサイクルを含み、またはＮ２個のＰＢＣＨサブブロックサイクルを含み、
伝送ウィンドウは、１／２個のＰＢＣＨサブブロックサイクルもしくはＭ個のＰＢＣＨサブブロックサイクル、または横切って連続するＰ個の利用可能なサブフレームを含み、
Ｎ１、Ｎ２、およびＭは全て、０を上回る整数であり、
全てのＰＢＣＨスケジューリングサイクルは、少なくとも１つのＰＢＣＨサブブロックサイクルを含む、項目２９に記載のシステム伝送装置。
（項目３１）
前記処理モジュールは、
情報を伝送するために使用されるＬ個の伝送ウィンドウが、Ｋ個の伝送ウィンドウ内で得られ、Ｑ個の利用可能なサブフレームは、Ｌ個の伝送ウィンドウ内の任意の伝送ウィンドウ内で取得され、情報が、前述の取得されたＱ個の利用可能なサブフレーム上で伝送されるように具体的に構成され、
Ｌは、０を上回る整数であり、かつＫ未満またはそれと等しく、Ｑは、１を上回る整数である、項目２９に記載のシステム伝送装置。
（項目３２）
情報が、取得されたＱ個の利用可能なサブフレーム上で伝送されるとき、伝送のための方法は、
前記伝送ウィンドウ内の情報伝送のためのＱ個の利用可能なサブフレームの数に従って、または前記伝送ウィンドウ内の情報伝送のためのＱ個の利用可能なサブフレームの数および伝送ウィンドウシーケンス番号に従って、チャネルコーディングされたデータを得ることを含み、前記取得された情報のチャネルコーディングされたデータは、次いで、前記Ｑ個の利用可能なサブフレーム上にマッピングされ、伝送される、項目３１に記載のシステム伝送装置。
【国際調査報告】
2019503150.tif 000024
2019503150.tif 000025
2019503150.tif 000026
2019503150.tif 000027